(57)【要約】  徐冷点（℃）と軟化点（℃）、および約６２５℃から約７２５℃の範囲にある（徐冷点＋軟化点）／２の関係を有するガラス物品の実施の形態が開示されている。１つ以上の実施の形態において、ガラス物品は、約６３モル％から約７５モル％の範囲の量のＳｉＯ２、約７モル％から約１３モル％の範囲の量のＡｌ２Ｏ３、約１３モル％から約２４モル％の範囲の量のＲ２Ｏ、約０モル％から約３モル％の範囲の量のＰ２Ｏ５、およびＭｇＯとＺｎＯの一方または両方を含むガラス組成物を有する。そのようなガラス物品を備えた積層板、およびそのような積層板を製造する方法も開示されている。
2020525379.tif 000002
【特許請求の範囲】
【請求項１】
ガラス組成物を有するガラス物品において、該ガラス組成物が、
約６３モル％から約７５モル％の範囲の量のＳｉＯ２、
約７モル％から約１３モル％の範囲の量のＡｌ２Ｏ３、
約１３モル％から約２４モル％の範囲の量のＲ２Ｏ、および
約０モル％から約３モル％の範囲の量のＰ２Ｏ５
を含み、
前記ガラス組成物は、ＭｇＯとＺｎＯの一方または両方を含み、ＭｇＯの量は、約０モル％から約７モル％の範囲にあり、ＺｎＯは、約０モル％から約７モル％の範囲の量で存在し、
前記ガラス物品は、徐冷点（℃）および軟化点（℃）を有し、（徐冷点＋軟化点）／２の関係が約６２５℃から約７２５℃の範囲にある、ガラス物品。
【請求項２】
前記ガラス物品が、２００ポアズの粘度での温度（℃）（Ｔ２００）および３５０００ポアズの粘度での温度（℃）（Ｔ３５０００）を有し、Ｔ２００−Ｔ３５０００は、約４００℃から約６００℃の範囲にある、請求項１記載のガラス物品。
【請求項３】
前記ガラス物品が、２００ポアズの粘度での温度（℃）（Ｔ２００）を有し、関係（徐冷点＋軟化点）／２とＴ２００との間の差が−８００℃未満である、請求項１または２記載のガラス物品。
【請求項４】
前記ガラス物品が、３５０００ポアズの粘度での温度（℃）（Ｔ３５０００）を有し、関係（徐冷点＋軟化点）／２とＴ３５０００との間の差が−３００℃未満である、請求項１から３いずれか１項記載のガラス物品。
【請求項５】
Ｔ２００およびＴ３５０００のいずれか一方または両方が、約１０３０℃より大きい、請求項２から４いずれか１項記載のガラス物品。
【請求項６】
前記ガラス物品が、約６２０℃から約７２０℃の範囲の垂下温度を有する、請求項１から５いずれか１項記載のガラス物品。
【請求項７】
Ａｌ２Ｏ３の量が約８モル％から約１１モル％の範囲にあり、Ｎａ２Ｏの量が約１２モル％から約１８モル％の範囲にあり、Ｋ２Ｏの量が、約１モル％から約３．５モル％の範囲にある、請求項１から６いずれか１項記載のガラス物品。
【請求項８】
約０．０１モル％から約４モル％の範囲の量のＣａＯ、
約０モル％から約３モル％の範囲の量で存在するＭｇＯ、および
約０モル％から約５モル％の範囲の量で存在するＺｎＯ、
の少なくとも１つをさらに含む、請求項１から７いずれか１項記載のガラス物品。
【請求項９】
前記ガラス物品が、強化されている、およびフュージョン成形されている、の少なくとも一方である、請求項１から８いずれか１項記載のガラス物品。
【請求項１０】
アルミノケイ酸塩ガラス物品において、
２モル％超の量のＡｌ２Ｏ３を含むガラス組成物、
を有し、
前記ガラス物品が徐冷点（℃）および軟化点（℃）を有し、（徐冷点＋軟化点）／２の関係が約６２５℃から約７２５℃の範囲にある、ガラス物品。
【発明の詳細な説明】
【関連出願の説明】
【０００１】
本出願は、その内容が依拠され、ここにその全てが引用される、２０１７年６月２２日に出願された米国仮特許出願第６２／５２３３９５号の米国法典第３５編第１１９条の下での優先権の恩恵を主張するものである。
【技術分野】
【０００２】
本開示は、ガラス組成物および積層板に関し、より詳しくは、自動車および建築用途で用いられる曲げ特性を示すガラス組成物、ガラス物品および積層板に関する。
【背景技術】
【０００３】
ガラスが、その光学的透明度および耐久性のために、窓に使用されている。自動車および建築用窓（または板ガラス）は、モノリスと称される単一ガラス物品（シート形態にある）、または間に高分子材料の中間層が配置された２つのガラス物品（シート形態にある）を備えた積層板を含むことがある。この板ガラスは、自動車用途において、フロントガラス、サイドウィンドウ、リヤ・ウィンドウ、サンルーフなどとして使用することができる。建築用途では、建物、パネル、壁などに同様の板ガラスが利用されることがある。
【０００４】
図１Ａに示されるように、湾曲したまたは成形された積層板ガラスを製造する方法は、２つのガラス物品（典型的に、フロート法により製造されるソーダ石灰ガラス（ＳＬＧ）シート）を形成する工程１０Ａ、１０Ｂ、そのガラス物品を切断し、仕上げる工程２０Ａ、２０Ｂ、一方のガラス物品を他方のガラス物品の上に配置する工程、およびガラス物品の積層体を、ガラスが所望の形状に一緒に垂下する温度（「垂下温度(sag temperature)」）に加熱する工程を有してなる。ここに用いられているように、「垂下温度」は、ガラス物品の対数粘度が９．９ポアズである温度を意味する。この垂下温度は、フォーゲル・フルチャー・タマン（ＶＦＴ）式：Ｌｏｇｈ＝Ａ＋Ｂ／（Ｔ−Ｃ）を、ビーム曲げ粘度（ＢＢＶ）測定を使用して測定された徐冷点データ、ファイバ伸張により測定された軟化点データに、フィッティングすることによって決定される。式中、Ｔは温度であり、Ａ、ＢおよびＣは、フィッティング定数であり、ｈは動的粘度である。ガラス物品が、互いに積層されたときに一緒に垂下される場合、その過程は、「対垂下」３０と称される。１つ以上の実施の形態において、その方法は、２つの対垂下されたガラス物品を分離し（典型的に、成形された積層体が冷却された後）、２つのガラス物品の間に中間層を施し、この３層積層体（２つの対垂下されたガラス物品および間に挟まれた中間層を含む）を加熱して、積層板を形成する工程５０を含む。この積層板構造における個々のソーダ石灰ガラス（ＳＬＧ）のガラス物品の厚さは、典型的に、約１．６ｍｍ以上または約２．１ｍｍ以上である。
【０００５】
燃料経済性を改善するために、軽量積層板ガラスが使用される傾向がある。新たな板ガラス設計は、より厚い外側ガラス物品および薄い内側ガラス物品からなる。１つの構造において、厚いほうのガラス物品はＳＬＧであり、薄いほうのガラス物品は強化ガラス物品である。そのＳＬＧ物品は、徐冷することができるが、厚さの減少による強度低下を補うのに許容できると考えられるレベルまで他のやり方で強化することができない。例えば、ＳＬＧ物品は、化学強化された場合でさえ、十分な強度属性（圧縮応力および圧縮応力の深さに関する）を示さない。
【０００６】
熱強化が、厚いモノリスガラス物品を強化するために一般に使用されており、それには、ガラス表面に深い圧縮層、典型的にガラスの全厚の２１％の圧縮層を形成する利点がある；しかしながら、その圧縮応力の大きさは、比較的小さく、典型的に１００ＭＰａ未満である。さらに、薄いガラス物品（すなわち、厚さが２ｍｍ未満のガラス物品）には、熱強化は益々効果がなくなってくる。標準的な熱強化過程は、それ自体、厚さが約３ｍｍのＳＬＧ物品を強化するのには適しているが、薄いＳＬＧ物品の強化には適していない。その上、ＳＬＧ物品の化学強化特徴は不十分である。
【０００７】
アルミノケイ酸塩ガラス物品は、薄いほうのガラス物品、特に、今日の板ガラスの光学的要件を満たす物品としての使用に独特に適している。詳しくは、アルミノケイ酸塩ガラス組成物は、ダウンドロー法（フュージョン成形法など）によって、非常に薄いガラス物品に形成することができる。その上、アルミノケイ酸塩ガラス物品は、幅広い範囲の圧縮応力（例えば、１，０００ＭＰａまで、そしてさらに１，０００ＭＰａを超える）および圧縮応力の深さ（例えば、ガラス物品の厚さの１８％または２０％まで、そしてさらにそれを超える）を示すように強化する（特に、化学強化する）ことができる。
【０００８】
公知のアルミノケイ酸塩ガラスは、ＳＬＧ垂下温度（すなわち、ＳＬＧが典型的に垂下する温度）でＳＬＧ物品に対して高い粘度を示す傾向にある。したがって、この粘度差は、公知のアルミノケイ酸塩ガラス物品は、図１Ｂに示されるように、別々に垂下されなければならず、対で垂下させることができず、これにより、製造過程全体の費用が増すことを意味する。詳しくは、図１Ｂは、ガラス物品を対で垂下できない場合、積層板ガラスが製造される方法は、単一垂下工程ではなく、ガラス物品を別々に垂下させる追加の工程を含むことを示す。詳しくは、その方法は、２つのガラス物品を形成する工程１０Ａ、１０Ｂ、そのガラス物品を切断し仕上げる工程２０Ａ、２０Ｂ、各ガラス物品を、各ガラス物品を別々に所望の形状に垂下させる垂下温度に加熱する工程３０Ａ、３０Ｂを有してなる。図１Ｂの方法を使用すると、別々の垂下工程からの２つのガラス物品の間には形状の不一致が生じ得る。さらに、２つの別個の垂下工程を使用することにより、２倍多いエネルギーと時間が使用される。
【発明の概要】
【発明が解決しようとする課題】
【０００９】
したがって、組成が異なるかもしれない別のガラス物品と対にして垂下でき、十分な程度に強化でき、必要に応じて、フュージョン成形される薄いガラス物品が必要とされている。
【課題を解決するための手段】
【００１０】
本開示は、ガラス組成物およびそのようなガラス組成物を有するガラス物品に関し、そのガラス物品は、異なるガラス物品（非フュージョン法により形成されたガラス物品、およびＳＬＧ組成物から製造されたガラス物品を含む）と対にして垂下できる。いくつかの実施の形態において、ガラス組成物はフュージョン成形できる、またはガラス物品にフュージョン成形可能である。１つ以上の実施の形態において、そのガラス物品は、強化できるか、または強化されている。そのようなガラス物品を含む積層板およびそのような積層板を形成する方法も、開示されている。
【００１１】
この開示の第１の態様は、約６３モル％から約７５モル％の範囲の量のＳｉＯ２、約７モル％から約１３モル％（または約８モル％から約１１モル％）の範囲の量のＡｌ２Ｏ３、約１３モル％から約２４モル％の範囲の量のＲ２Ｏ、および約０モル％から約３モル％の範囲の量のＰ２Ｏ５を含むガラス組成物を有するガラス物品に関する。特に明記のない限り、Ｒ２Ｏは、Ｌｉ２Ｏ、Ｎａ２Ｏ、Ｋ２Ｏ、Ｒｂ２Ｏ、およびＣｓ２Ｏを含むアルカリ金属酸化物の総量を称する。１つ以上の実施の形態において、そのガラス組成物は、ＭｇＯとＺｎＯの一方または両方を含む。そのガラス組成物がＭｇＯを含む場合、ＭｇＯは、約０モル％から約７モル％の範囲の量で存在する。いくつかの実施の形態において、ＭｇＯは、約０モル％から約３モル％の範囲の量で存在する。そのガラス組成物がＺｎＯを含む場合、ＺｎＯは、約０モル％から約７モル％の範囲の量で存在する。いくつかの実施の形態において、ＺｎＯは、約０モル％から約５モル％の範囲の量で存在する。
【００１２】
１つ以上の実施の形態のガラス組成物は、約１２モル％から約１８モル％の範囲の量のＮａ２Ｏを含むことがある。１つ以上の実施の形態において、そのガラス組成物は、約１モル％から約３．５モル％の範囲の量のＫ２Ｏを含むことがある。いくつかの実施の形態において、そのガラス組成物は、約０．０１モル％から約４モル％の範囲の量のＣａＯをさらに含む。いくつかの実施の形態において。
【００１３】
１つ以上の実施の形態において、前記ガラス物品は、徐冷点温度（℃）および軟化点温度（℃）を有し、徐冷点温度と軟化点温度の組合せの半分の関係（（徐冷点温度＋軟化点温度）／２）は約６２５℃から約７２５℃の範囲にある。いくつかの実施の形態において、そのガラス物品の（徐冷点＋軟化点）／２の関係は、約７００℃未満と等しい。いくつかの実施の形態において、そのガラス物品は、２００ポアズの粘度での温度（℃）（Ｔ２００）および３５０００ポアズの粘度での温度（℃）（Ｔ３５０００）を有し、それらの間の差（Ｔ２００−Ｔ３５０００）は、約４００℃から約６００℃の範囲にある大きさを有する。１つ以上の実施の形態において、そのガラス物品はＴ２００を有し、関係（徐冷点温度＋軟化点温度）／２とＴ２００の間の差は−８００℃未満である。いくつかの実施の形態において、そのガラス基板はＴ３５０００を有し、関係（徐冷点温度＋軟化点温度）／２とＴ３５０００の間の差は−３００℃未満である。１つ以上の実施の形態によるガラス物品は、約１０３０℃を超える、Ｔ２００値、Ｔ３５０００値、またはＴ２００とＴ３５０００の値を有する。１つ以上の実施の形態において、そのガラス基板は、約６２０℃から約７２０℃の範囲の垂下温度を有することがある。
【００１４】
１つ以上の実施の形態において、前記ガラス物品（またはそのガラス物品を形成するために使用されるガラス組成物）は、約１００キロポアズ（ｋＰ）超の液相粘度を有する。ある場合には、そのガラス物品（またはそのガラス物品を形成するために使用されるガラス組成物）は、約３５ｋＰ未満のジルコン分解粘度を有する。
【００１５】
１つ以上の実施の形態のガラス物品は、強化されることがある。ある場合には、そのガラス物品は、ここに記載されているように、フュージョン成形されることがある。
【００１６】
この開示の第２の態様は、２モル％超の量のＡｌ２Ｏ３を含むガラス組成物を有するガラス物品であって、徐冷点温度（℃）および軟化点温度（℃）を有し、（徐冷点温度＋軟化点温度）／２の関係が約６２５℃から約７２５℃の範囲にある、ガラス物品に関する。ある場合には、その徐冷点温度は約５８０℃未満であることがある。１つ以上の実施の形態において、そのガラス基板は、約７２５℃から８６０℃の範囲の軟化点温度を有する。
【００１７】
１つ以上の実施の形態において、前記ガラス組成物またはそれらの組成物から形成されたガラス物品は、約１０００℃超のＴ３５０００を有することがある。１つ以上の実施の形態において、そのガラス組成物またはそれらの組成物から形成されたガラス物品は、約９００℃超のＴ２００を有することがある。１つ以上の実施の形態において、そのガラス組成物またはそれらの組成物から形成されたガラス物品は、約５３０℃未満の歪み点温度を有する。
【００１８】
１つ以上の実施の形態において、前記ガラス組成物は、約５モル％以上のＲ２Ｏ量を有する。いくつかの実施の形態において、そのガラス組成物は、約５モル％から約２０モル％の範囲のＲ２Ｏ量を有する。
【００１９】
１つ以上の実施の形態において、前記ガラス組成物は、特定量のＲＯを含むことがある。特に明記のない限り、ＲＯは、ＭｇＯ、ＣａＯ、ＳｒＯ、ＢａＯ、ＺｎＯなどのアルカリ土類金属酸化物の総量を称する。１つ以上の実施の形態において、そのガラス組成物は、ＭｇＯとＺｎＯの一方または両方を含む。１つ以上の実施の形態において、ＭｇＯの量は、約０モル％から約７モル％の範囲にある。１つ以上の実施の形態において、ＺｎＯの量は、約０モル％から約７モル％の範囲にある。
【００２０】
１つ以上の実施の形態のガラス組成物またはそれらの組成物から形成されたガラス物品は、約２．６ｇ／ｃｍ３以下の密度を有する。ある場合には、そのガラス物品は、強化されていることがある。ある場合には、そのガラス物品は、フュージョン成形されている。
【００２１】
本開示の第３の態様は、内部およびその内部と連通する開口を画成する本体と、その開口内に配置されたガラス物品とを備えた乗り物に関する。そのガラス物品は、２モル％超の量のＡｌ２Ｏ３を含むガラス組成物、徐冷点温度（℃）、および軟化点温度（℃）を有し、（徐冷点温度＋軟化点温度）／２の関係が約６２５℃から約７２５℃の範囲にある。そのガラス物品（またはそのガラス物品を形成するために使用されるガラス組成物）は、約６００℃未満の徐冷点温度を示すことがある。ある場合には、そのガラス物品（またはそのガラス物品を形成するために使用されるガラス組成物）は、約５５０℃未満の歪み点温度をさらに有する。そのガラス物品（またはそのガラス物品を形成するために使用されるガラス組成物）は、約６００℃から約７００℃の範囲の垂下温度を有することがある。そのガラス物品（またはそのガラス物品を形成するために使用されるガラス組成物）の密度は、約２．６ｇ／ｃｍ３以下であることがある。いくつかの実施の形態において、そのガラス物品（またはそのガラス物品を形成するために使用されるガラス組成物）は、約７２５℃から８６０℃の範囲の軟化点を有する。いくつかの実施の形態において、そのガラス物品は、約１０００℃超のＴ３５０００を有する。１つ以上の実施の形態において、そのガラス物品は、約９００℃超のＴ２００をさらに有する。
【００２２】
１つ以上の実施の形態において、前記ガラス物品は、ここで他に記載されたようなガラス組成物を有する。例えば、いくつかの実施の形態において、そのガラス組成物は、約１６モル％以上の量のＲ２Ｏを含む。ある場合には、そのガラス物品は、Ｌｉ２Ｏ、Ｎａ２ＯおよびＫ２Ｏから選択されるアルカリ金属酸化物を含み、そのようなアルカリ金属酸化物は、約５モル％超の量で存在する。ある場合には、そのガラス組成物は、約５モル％から約２４モル％、または約１７モル％から約２４モル％の範囲の総量の、Ｌｉ２Ｏ、Ｎａ２Ｏ、Ｋ２Ｏのみを含むアルカリ金属酸化物を有する。そのガラス物品は、いくつかの実施の形態において、強化されていることがある。ある場合には、そのガラス物品は、フュージョン成形されている。
【００２３】
本開示の第４の態様は、第１のガラス層、その第１のガラス層上に配置された中間層、および第１のガラス層と反対の中間層上に配置された第２のガラス層を備えた積層板であって、その第１のガラス層および第２のガラス層のいずれか一方または両方が、ここに記載されたガラス物品の実施の形態から作られている、積層板に関する。１つ以上の実施の形態において、第１のガラス層および第２のガラス層のいずれか一方または両方の厚さは、約１．６ｍｍ未満である。１つ以上の実施の形態において、その第１のガラス層は、ここに記載されたガラス物品の実施の形態から作られ、約１．６ｍｍ未満の厚さを有する。いくつかの特定の実施の形態において、その第２のガラス層の厚さは、１．６ｍｍ以上である。必要に応じて、その第２のガラス層は、その第１のガラス層とは組成が異なる（例えば、第１のガラス層は、ここに記載されたガラス組成物の実施の形態から作られ、第２のガラス層は、ＳＬＧから作られている）。
【００２４】
本開示の第５の態様は、第１の主面、その第１の主面と反対の第２の主面、およびその第１の主面と第２の主面との間の距離として規定される第１の厚さを有する第１の湾曲ガラス層；第３の主面、その第３の主面と反対の第４の主面、およびその第３の主面と第４の主面との間の距離として規定される第２の厚さを有する第２の湾曲ガラス層；およびその第１の湾曲ガラス層と第２の湾曲ガラス層との間であって、第２の主面および第３の主面に隣接して配置された中間層を備えた積層板に関する。１つ以上の実施の形態において、第１の湾曲ガラス層は、約２ｍｍ以上（例えば、約５ｍｍから約３０ｍｍ）の第１の垂下深さを有し、第２の湾曲ガラス層は、約２ｍｍ以上（例えば、約５ｍｍから約３０ｍｍ）の第２の垂下深さを有する。１つ以上の実施の形態において、その第２の主面は凹面を形成し、第３の主面は凹面を形成し、その逆もまた同様である。
【００２５】
１つ以上の実施の形態において、その第１の垂下深さは、第２の垂下深さの１０％以内であり、第１の湾曲ガラス層と第２の湾曲ガラス層との間の形状偏差は、光学三次元スキャナで測定して、±５ｍｍ以下（例えば、約±１ｍｍ以下、または約±０．５ｍｍ以下）である。
【００２６】
前記第１の湾曲ガラス層は第１の粘度を有し、前記第２の湾曲ガラス層は第２の粘度を有する。１つ以上の実施の形態において、６３０℃での第１の粘度は、６３０℃の温度での第２の粘度より高い（例えば、６３０℃の温度では、第１の粘度は、第２の粘度の約１０倍から第２の粘度の約７５０倍までの範囲にある）。
【００２７】
１つ以上の実施の形態において、第１の主面および第４の主面の一方または両方は、ＡＳＴＭ１５６１にしたがう透過光学素子を使用した光学的歪み検出器で測定して、２００ミリジオプター未満（または約１００ミリジオプター以下）の光学的歪みを有する。いくつかの実施の形態において、第３の主面または第４の主面は、ＡＳＴＭ  Ｃ１２７９にしたがって、表面応力計で測定して、７ＭＰａ未満（例えば、約５ＭＰａ以下、または約３ＭＰａ以下）の膜引張応力を有する。
【００２８】
１つ以上の実施の形態によれば、第１の湾曲ガラス層は、ここに記載されたガラス物品から作られている。その第１の厚さは、第２の厚さより小さいことがある。例えば、第１の厚さは、約０．１ｍｍから約１．６ｍｍ未満までであることがあり、第２の厚さは、約１．６ｍｍから約３ｍｍの範囲にあることがある。
【００２９】
前記第１の湾曲ガラス層は、第２の垂下温度と異なる垂下温度を示すことがある。第１の垂下温度と第２の垂下温度との間の差の大きさは、約３０℃から約１５０℃の範囲にある。１つ以上の実施の形態において、前記積層板は、ＡＳＴＭ  Ｃ１６５２／Ｃ１６５２Ｍにより測定して、視覚歪みを実質的に含まない。
【００３０】
必要に応じて、その第１の湾曲ガラス層は、強化されている（例えば、化学強化されている、機械的に強化されている、または熱的に強化されている）。第２の湾曲ガラス層は、強化されていなくても、または強化されていてもよい。１つ以上の実施の形態において、第２の湾曲ガラス層は、ソーダ石灰ケイ酸塩ガラスから作られている。
【００３１】
第１の湾曲ガラス層は、第１の長さおよび第１の幅を有することがあり、その第１の長さおよび第１の幅のいずれか一方または両方は、約０．２５メートル以上である。１つ以上の実施の形態において、第２の湾曲ガラス層は、第１の長さの５％以内の第２の長さ、および第１の幅の５％以内の第２の幅を有する。前記積層板は、単純に湾曲していても（ここに定義されるような）、または複雑に湾曲していても（ここに定義されるような）よく、必要に応じて、自動車用板ガラスまたは建築用板ガラスであることがある。
【００３２】
別の態様は、内部およびその内部と連通する開口を画成する本体と、その開口内に配置されたここに記載された積層板とを備えた乗り物に関する。そのような積層板は、複雑に湾曲していることがある。
【００３３】
特に明記のない限り、ここに開示されたガラス組成物は、酸化物基準で分析してモルパーセント（モル％）で記載されている。追加の特徴および利点は、以下の詳細な説明に述べられており、一部は、その説明から当業者に容易に明白となるか、または以下の詳細な説明、特許請求の範囲、並びに添付図面を含む、ここに記載されたような実施の形態を実施することによって、認識されるであろう。
【００３４】
本開示の第６の態様は、積層板を形成する方法に関する。１つ以上の実施の形態において、その方法は、第１のガラス物品（ここに記載されたガラス物品の実施の形態を含み得る）、およびその第１のガラス物品と異なる組成を有する第２のガラス物品を積み重ねて、積層体を形成する工程；その積層体を成形型上に配置する工程；その積層体を、第１のガラス物品の徐冷点温度より高い温度に加熱して、成形積層体を形成する工程；および第１のガラス物品と第２のガラス物品との間に中間層を配置する工程を有してなる。
【００３５】
１つ以上の実施の形態において、その第１のガラス物品は、第一面およびその第一面と反対の第二面を有し、その第２のガラス物品は、第三面およびその第三面と反対の第四面を有し、その積層体において、第二面が第三面と隣接している。１つ以上の実施の形態において、その第二面は凹面を形成し、第三面は凹面を形成し、その逆もまた同様である。
【００３６】
１つ以上の実施の形態において、その成形積層体は、約１０ｍｍ以下（または約５ｍｍ以下、または約３ｍｍ以下）の最大距離を有する間隙を第二面と第三面との間に含む。
【００３７】
先の一般的な説明および以下の詳細な説明の両方とも、例示に過ぎず、請求項の性質および特徴を理解するための概要または骨子を提供することを目的とすることを理解すべきである。添付図面は、さらなる理解を与えるために含まれ、本明細書に包含され、その一部を構成する。図面は、１つ以上の実施の形態を示しており、説明と共に、様々な実施の形態の原理および作動を説明する働きをする。
【図面の簡単な説明】
【００３８】
【図１Ａ】１つ以上の実施の形態による、対垂下を使用して積層板ガラスを製造する方法の工程経路図
【図１Ｂ】従来技術による、積層板ガラスを製造する方法の工程経路図
【図２】１つ以上の実施の形態によるガラス物品の側面図
【図３】１つ以上の実施の形態によるガラス物品の側面図
【図４】１つ以上の実施の形態によるガラス物品を備えた積層板の側面図
【図５】１つ以上の実施の形態によるガラス物品を備えた積層板の側面図
【図６】１つ以上の実施の形態による、ガラス物品を備えた積層板の側面図
【図７】１つ以上の実施の形態による、別のガラス物品に冷間成形されるべきガラス物品の分解側面図
【図８】図７の結果として得られた冷間成形された積層板の側面図
【図９】１つ以上の実施の形態によるガラス物品または積層板を備えた乗り物の説明図
【図１０】温度の関数としての、公知のソーダ石灰ケイ酸塩ガラス、並びに実施例６３、６６および７２の対数粘度曲線を示すグラフ
【発明を実施するための形態】
【００３９】
ここで、その例が添付図面に示されている、様々な実施の形態を詳しく参照する。
【００４０】
本開示の態様は、組成、厚さ、強化済みまたは強化レベル、および形成方法（例えば、フュージョン法により製造されたのとは対照的にフロート法により製造された）のいずれか１つ以上が異なる別のガラス物品と対にして垂下できるガラス物品に関する。１つ以上の実施の形態において、そのガラス物品は、フュージョン成形できる、またはフュージョン成形可能であり、これは、フュージョン法を使用して形成されているまたは形成できることを意味する。
【００４１】
ほとんどの場合、自動車用板ガラスは、湾曲しているか曲げられており、平らまたは平面ではない。建築用途でも、同様に湾曲したガラス物品を使用することがある。ガラス物品の厚さおよび所望の形状に応じて、ガラス物品は、湾曲形状を得るために冷間成形（熱を使用しない）または熱成形（熱なし）されることがある。
【００４２】
熱成形は、垂下過程を含むことがあり、この過程は、ガラスが加熱されているときにガラスを成形するために重力を使用する。この垂下工程において、ガラス物品を別のガラス物品の上に配置して、積層体（潜在的に間に挟まれた剥離層を有する）を形成し、これを成形型上に配置する。この積層体と成形型は両方とも、炉（例えば、箱形炉またはガラス焼き鈍し炉）内に入れられて加熱される。炉の中で、積層体は、ガラス物品の垂下温度に徐々に加熱される。この過程中、重力により、それらのガラス物品は一緒に湾曲形状に垂下する。
【００４３】
所望の程度の垂下および最終形状を得るために、加熱時間と温度が選択される。その後、ガラス物品を炉から取り出し、冷却する。次に、２つのガラス物品を分離し、ガラス物品の間に中間層を入れて再び組み立て、真空下で加熱して、ガラス物品と中間層を積層板へと一緒に封止する。
【００４４】
図１Ａの工程４０に示されるように２つのガラス物品を一緒に垂下することにより、製造過程が合理化される；しかしながら、ガラス物品が異なる垂下温度を有する場合、対垂下は難題になる。例えば、公知のアルミノケイ酸塩ガラスの垂下温度は、ＳＬＧの垂下温度より８０℃超高い。さらに、公知のアルミノケイ酸塩ガラスの粘度は、それぞれの垂下温度で、典型的なＳＬＧの粘度よりも２００倍超大きい。
【００４５】
本開示の第１の態様は、組成、厚さ、強化レベル、および形成方法（例えば、フュージョン法により製造されたのとは対照的にフロート法により製造された）のいずれか１つ以上が異なる別のガラス物品と対にして垂下できるガラス物品に関する。具体的には、そのガラス物品の実施の形態は、減少した厚さ（例えば、２．１ｍｍ未満または１．６ｍｍ未満）であるときでさえ、公知のアルミノケイ酸塩ガラス物品よりも低い垂下温度を有するＳＬＧまたは他のガラス物品と対にして垂下することができる。それに加え、そのようなガラス物品は、そのフュージョン成形性および強化能力を保持している。１つ以上の実施の形態において、そのガラス物品は、約６３モル％から約７５モル％の範囲の量のＳｉＯ２、約７モル％から約１３モル％の範囲の量のＡｌ２Ｏ３、約１３モル％から約２４モル％（または約１８モル％から約２４モル％）の範囲の量のＲ２Ｏ、約０モル％から約３モル％の範囲の量のＰ２Ｏ５を含むガラス組成物を有する。１つ以上の実施の形態において、そのガラス組成物は、ＭｇＯとＺｎＯの一方または両方を含む。そのガラス組成物中にＭｇＯが含まれる場合、存在するＭｇＯの量は、約０モル％から約７モル％の範囲にある。そのガラス組成物中にＺｎＯが含まれる場合、存在するＺｎＯの量は、約０モル％から約７モル％の範囲にある。１つ以上の実施の形態において、そのガラス物品（またはそのガラス物品を形成するために使用されるガラス組成物）は、徐冷点温度（℃）および軟化点温度（℃）を有し、（徐冷点温度＋軟化点温度）／２の関係が、約６２５℃から約７２５℃または約６５０℃から約６９０℃の範囲にある。
【００４６】
１つ以上の実施の形態において、前記ガラス物品は、アルミノケイ酸塩ガラス物品として、またはアルミノケイ酸塩ガラス組成物を有すると記載される。そのような実施の形態において、そのアルミノケイ酸塩ガラス組成物またはそれから形成されたガラス物品は、ＳｉＯ２およびＡｌ２Ｏ３を含み、ＳＬＧではない。この点に関して、そのガラス組成物またはそれから形成された物品は、約２モル％以上、２．２５モル％以上、２．５モル％以上、約２．７５モル％以上、約３モル％以上の量のＡｌ２Ｏ３を含む。
【００４７】
１つ以上の実施の形態において、前記ガラス組成物は、約２モル％超、約５モル％超、または約６モル％超の量のＡｌ２Ｏ３を含む。１つ以上の実施の形態において、そのガラス組成物は、約７モル％超から約１３モル％、約８モル％超から約１３モル％、約９モル％から約１３モル％、約９モル％から約１３モル％、約１０モル％から約１３モル％、約７モル％から約１２モル％、約７モル％から約１１モル％、約７モル％から約１０モル％、約７モル％から約９モル％、約８モル％から約１２モル％、約８モル％から約１１モル％、約８モル％から約１０モル％、または約９モル％から約１０モル％の範囲、およびそれらの間の全ての範囲と部分的範囲のＡｌ２Ｏ３を含む。
【００４８】
１つ以上の実施の形態において、前記ガラス組成物は、約６３モル％から約７５モル％、約６４モル％から約７５モル％、約６５モル％から約７５モル％、約６６モル％から約７５モル％、約６８モル％から約７５モル％、約７０モル％から約７５モル％、約７２モル％から約７５モル％、約６３モル％から約７４モル％、約６３モル％から約７２モル％、約６３モル％から約７０モル％、約６３モル％から約６８モル％、約６３モル％から約６６モル％、約６３モル％から約６７モル％、約６４モル％から約７６モル％、または約６５モル％から約６６モル％の範囲、およびそれらの間の全ての範囲と部分的範囲の量のＳｉＯ２を含む。
【００４９】
１つ以上の実施の形態において、前記ガラス組成物は、約５モル％以上、約１０モル％以上、または約１２モル％以上の総量のＲ２Ｏを含むことがある。いくつかの実施の形態において、そのガラス組成物は、５モル％から約２４モル％、約６モル％から約２４モル％、約８モル％から約２４モル％、約１０モル％から約２４モル％、約１２モル％から約２４モル％、１３モル％から約２４モル％、１４モル％から約２４モル％、１５モル％から約２４モル％、１６モル％から約２４モル％、約１７モル％から約２４モル％、１８モル％から約２４モル％、約２０モル％から約２４モル％、約１３モル％から約２２モル％、約１３モル％から約２０モル％、約１３モル％から約１８モル％、約１３モル％から約１６モル％、１３モル％から約１５モル％、１７モル％から約２１モル％、１８モル％から約２０モル％、または１９モル％から約２１モル％の範囲、およびそれらの間の全ての範囲と部分的範囲の総量のＲ２Ｏを含む。１つ以上の実施の形態において、そのガラス組成物は、Ｒｂ２Ｏ、Ｃｓ２Ｏ、またはＲｂ２ＯとＣｓ２Ｏの両方を実質的に含まないことがある。ここに用いられているように、組成物の成分に関する「実質的に含まない」という句は、その成分が、最初のバッチ配合中に組成物に能動的にまたは意図的に加えられていないが、約０．００１モル％未満の量で不純物として存在することがあることを意味する。１つ以上の実施の形態において、そのガラス組成物はＲ２Ｏを含むことがあり、これは、Ｌｉ２Ｏ、Ｎａ２ＯおよびＫ２Ｏのみ（すなわち、このガラス組成物は、Ｒｂ２ＯおよびＣｓ２Ｏを実質的に含まない）の総量を含むことがある。１つ以上の実施の形態において、そのガラス組成物はＲ２Ｏを含むことがあり、これは、Ｎａ２ＯおよびＫ２Ｏのみ（すなわち、このガラス組成物は、Ｌｉ２Ｏ、Ｒｂ２ＯおよびＣｓ２Ｏを実質的に含まない）の総量を含むことがある。１つ以上の実施の形態において、そのガラス組成物は、Ｌｉ２Ｏ、Ｎａ２ＯおよびＫ２Ｏから選択される少なくとも１つのアルカリ金属酸化物を含むことがあり、そのアルカリ金属酸化物は、約５モル％超、約８モル％超、約１０モル％超、または約１２モル％超の量で存在する。そのような実施の形態において、そのガラス組成物またはそれから形成されたガラス物品は、アルカリ金属酸化物の存在のために、アルカリアルミノケイ酸塩ガラスとして特徴付けられることがある。
【００５０】
１つ以上の実施の形態において、前記ガラス組成物は、約１０モル％以上、約１１モル％以上、約１２モル％以上、または約１４モル％以上の量のＮａ２Ｏを含む。１つ以上の実施の形態において、その組成物は、約１２モル％から約２０モル％、約１４モル％から約２０モル％、約１５モル％から約２０モル％、約１６モル％から約２０モル％、約１８モル％から約２０モル％、約１２モル％から約１８モル％、約１２モル％から約１６モル％、約１２モル％から約１４モル％、約１４モル％から約１８モル％、約１５モル％から約１８モル％、約１６モル％から約１８モル％、または約１６モル％から約１７モル％の範囲、およびそれらの間の全ての範囲と部分的範囲のＮａ２Ｏを含む。
【００５１】
１つ以上の実施の形態において、前記ガラス組成物は、約４モル％未満のＫ２Ｏ、または約３モル％未満のＫ２Ｏを含む。ある場合には、そのガラス組成物は、約０．５モル％から約４モル％、約０．５モル％から約３．５モル％、約０．５モル％から約３モル％、約０．５モル％から約２．５モル％、約０．５モル％から約２モル％、約０．５モル％から約１．５モル％、約０．５モル％から約１モル％、約１モル％から約４モル％、約１モル％から約３．５モル％、約１モル％から約３モル％、約１モル％から約２．５モル％、約１．５モル％から約４モル％、約１．５モル％から約３．５モル％、約１．５モル％から約３モル％の範囲、約１．５モル％から約２．５モル％の範囲、約１．７５モル％から約３モル％の範囲、約１．７５モル％から約２．７５モル％の範囲、約１．７５モル％から約３モル％の範囲、または約２モル％から約３モル％の範囲、およびそれらの間の全ての範囲と部分的範囲の量のＫ２Ｏを含むことがある。
【００５２】
１つ以上の実施の形態において、前記組成物は、約０モル％から約４モル％、約０モル％から約３．５モル％、約０モル％から約３モル％、約０モル％から約２．５モル％、約０モル％から約２モル％、約０モル％から約１．５モル％、約０モル％から約１モル％、約０．１モル％から約４モル％、約０．１モル％から約３．５モル％、約０．１モル％から約３モル％、約０．１モル％から約２．５モル％、約０．１モル％から約２モル％、約０．１モル％から約１．５モル％、約０．１モル％から約１モル％、約１モル％から約４モル％、約１モル％から約３．５モル％、約１モル％から約３モル％、約１モル％から約２．５モル％、約１モル％から約２モル％、または約１モル％から約１．５モル％の範囲、およびそれらの間の全ての範囲と部分的範囲のＬｉ２Ｏを含む。１つ以上の実施の形態において、そのガラス組成物は、Ｌｉ２Ｏを実質的に含まない。
【００５３】
１つ以上の実施の形態において、前記組成物中のＮａ２Ｏの量は、Ｌｉ２Ｏの量よりも多いことがある。ある場合には、Ｎａ２Ｏの量は、Ｌｉ２ＯとＫ２Ｏの総量よりも多いことがある。
【００５４】
１つ以上の実施の形態において、前記ガラス組成物は、約４モル％から約１２モル％、約５モル％から約１２モル％、約６モル％から約１２モル％、約７モル％から約１２モル％、約８モル％から約１２モル％、約９モル％から約１２モル％、約４モル％から約１１モル％、約４モル％から約１０モル％、約４モル％から約９モル％、約４モル％から約８モル％、約４モル％から約７モル％、または約８モル％から約１０モル％の範囲、およびそれらの間の全ての範囲と部分的範囲にあるＲ２Ｏの量とＡｌ２Ｏ３の量との差（すなわち、Ｒ２Ｏ−Ａｌ２Ｏ３）の組成関係を有する。
【００５５】
１つ以上の実施の形態において、前記ガラス組成物は、約３以下、約２．５以下、または約２以下のＲ２Ｏ対Ａｌ２Ｏ３（すなわち、Ｒ２Ｏ：Ａｌ２Ｏ３）の組成比を有する。いくつかの実施の形態において、そのガラス組成物は、約１．５から約３の範囲にある組成比Ｒ２Ｏ：Ａｌ２Ｏ３を有する。いくつかの実施の形態において、そのガラス組成物は、約１．６から約３、約１．７から約３、約１．８から約３、約１．９から約３、約２から約３、約２．１から約３、約２．２から約３、約２．３から約３、約２．４から約３、約２．５から約３、約１．５から約２．９、約１．５から約２．８、約１．５から約２．６、約１．５から約２．５、約１．５から約２．４、約１．５から約２．２、約１．５から約２、約１．５から約１．９、または約１．５から約１．８の範囲、およびそれらの間の全ての範囲と部分的範囲にある組成比Ｒ２Ｏ：Ａｌ２Ｏ３を有する。
【００５６】
１つ以上の実施の形態において、前記ガラス組成物は、Ｂ２Ｏ３（例えば、約０．０１モル％以上）を含む。いくつかの実施の形態において、前記ガラス組成物は、Ｂ２Ｏ３を実質的に含まないことがある。１つ以上の実施の形態において、そのガラス組成物は、約０モル％から約２モル％、約０モル％から約１．９モル％、約０モル％から約１．８モル％、約０モル％から約１．６モル％、約０モル％から約１．５モル％、約０モル％から約１．４モル％、約０モル％から約１．３モル％、約０モル％から約１．２モル％、約０モル％から約１．１モル％、約０モル％から約１モル％、約０．５モル％から約２．５モル％、約０．５モル％から約２モル％、または約０．５モル％から約１．５モル％の範囲、およびそれらの間の全ての範囲と部分的範囲の量でＢ２Ｏ３を含む。
【００５７】
１つ以上の実施の形態において、前記ガラス組成物は、Ｐ２Ｏ５（例えば、約０．０１モル％以上）を含む。いくつかの実施の形態において、前記ガラス組成物は、Ｐ２Ｏ５を実質的に含まないことがある。１つ以上の実施の形態において、そのガラス組成物は、約０モル％から約３モル％、約０モル％から約２．９モル％、約０モル％から約２．８モル％、約０モル％から約２．６モル％、約０モル％から約２．５モル％、約０モル％から約２．４モル％、約０モル％から約２．３モル％、約０モル％から約２．２モル％、約０モル％から約２．１モル％、約０モル％から約２モル％、約０．５モル％から約３モル％、約０．５モル％から約２．５モル％、約０．５モル％から約２モル％、約０．５モル％から約１．５モル％の範囲、約０．５モル％から約１モル％、約１．５モル％から約３モル％、または約２モル％から約３モル％、およびそれらの間の全ての範囲と部分的範囲の量でＰ２Ｏ５を含む。
【００５８】
１つ以上の実施の形態において、前記ガラス組成物は、約０モル％から約１８モル％の範囲の総量でＲＯを含むことがある。いくつかの実施の形態において、そのガラス組成物は、約１８モル％までの非ゼロ量のＲＯを含む。１つ以上の実施の形態において、そのガラス組成物は、約０モル％から約１６モル％、約０モル％から約１５モル％、約０モル％から約１４モル％、約０モル％から約１２モル％、約０モル％から約１１モル％、約０モル％から約１０モル％、約０モル％から約９モル％、約０モル％から約８モル％、約０．１モル％から約１８モル％、約０．１モル％から約１６モル％、約０．１モル％から約１５モル％、約０．１モル％から約１４モル％、約０．１モル％から約１２モル％、約０．１モル％から約１１モル％、約０．１モル％から約１０モル％、約０．１モル％から約９モル％、または約０．１モル％から約８モル％、およびそれらの間の全ての範囲と部分的範囲の量でＲＯを含む。
【００５９】
１つ以上の実施の形態において、前記ガラス組成物は、約５モル％以下、約４．５モル％以下、約４モル％以下、約３．５モル％以下、約３モル％以下、約２．５モル％以下、約２モル％以下、約１．５モル％以下、または約１モル％以下の量でＣａＯを含む。１つ以上の実施の形態において、前記ガラス組成物は、ＣａＯを実質的に含まない。１つ以上の実施の形態において、そのガラス組成物は、約０モル％から約５モル％、約０モル％から約４．５モル％、約０モル％から約４モル％、約０モル％から約３．５モル％、約０モル％から約３モル％、約０モル％から約２．５モル％、約０モル％から約２モル％、約０モル％から約１．５モル％、約０モル％から約１モル％、約０モル％から約０．８モル％、約０モル％から約０．７５モル％、約０モル％から約０．５モル％、約０モル％から約０．２５モル％、約０モル％から約０．１モル％、約０．０１モル％から約５モル％、約０．０１モル％から約４．５モル％、約０．０１モル％から約４モル％、約０．０１モル％から約３．５モル％、約０．０１モル％から約３モル％、約０．０１モル％から約２．５モル％、約０．０１モル％から約２モル％、約０．０１モル％から約１．５モル％、約０．０１モル％から約１モル％、約０．０１モル％から約０．８モル％、約０．０１モル％から約０．７５モル％、約０．０１モル％から約０．５モル％、約０．０１モル％から約０．２５モル％、または約０．０１モル％から約０．１モル％、およびそれらの間の全ての範囲と部分的範囲の量でＣａＯを含む。
【００６０】
いくつかの実施の形態において、前記ガラス組成物は、約０モル％から約７モル％、約０モル％から約６．５モル％、約０モル％から約６モル％、約０モル％から約５．５モル％、約０モル％から約５モル％、約０モル％から約４．５モル％、約０モル％から約４モル％、約０モル％から約３．５モル％、約０モル％から約３モル％、約０モル％から約２．５モル％、約０モル％から約２モル％、約０モル％から約１．５モル％、約０モル％から約１モル％、約０．５モル％から約６．５モル％、約１モル％から約６．５モル％、約１．５モル％から約６．５モル％、約２モル％から約６．５モル％、約２．５モル％から約６．５モル％、約３モル％から約６．５モル％、約３．５モル％から約６．５モル％、約４モル％から約６．５モル％、約４．５モル％から約６．５モル％、約５モル％から約６．５モル％、約０．５モル％から約３．５モル％、約１モル％から約３．５モル％、約１．５モル％から約３モル％、約０．５モル％から約２．５モル％の範囲、または約２モル％から約４モル％、およびそれらの間の全ての範囲と部分的範囲の量でＭｇＯを含む。
【００６１】
いくつかの実施の形態において、前記ガラス組成物は、約０モル％から約７モル％、約０モル％から約７．５モル％、約０モル％から約６モル％、約０モル％から約５．５モル％、約０モル％から約５モル％、約０モル％から約４．５モル％、約０モル％から約４モル％、約０モル％から約３．５モル％、約０モル％から約３モル％、約０モル％から約２．５モル％、約０モル％から約２モル％、約０モル％から約１．５モル％、約０モル％から約１モル％、約０．５モル％から約７モル％、約０．５モル％から約６．５モル％、約０．５モル％から約６モル％、約０．５モル％から約５．５モル％、約０．５モル％から約５モル％、約０．５モル％から約４．５モル％、約１モル％から約７モル％、約１モル％から約６．５モル％、約１モル％から約６モル％、約１モル％から約５．５モル％、約１モル％から約５モル％、約１モル％から約４．５モル％、約１．５モル％から約４．５モル％、約２モル％から約４．５モル％、約２．５モル％から約４．５モル％、約３モル％から約４．５モル％、約３．５モル％から約４．５モル％、約０．５モル％から約３．５モル％、約１モル％から約３．５モル％、約１．５モル％から約４モル％、または約２モル％から約３．５モル％の範囲、およびそれらの間の全ての範囲と部分的範囲の量でＺｎＯを含む。
【００６２】
いくつかの実施の形態において、前記ガラス組成物は、約０モル％から約２モル％、約０モル％から約１．５モル％、約０モル％から約１モル％、約０．５モル％から約２モル％、約１モル％から約２モル％、または約１．５モル％から約２モル％の範囲、およびそれらの間の全ての範囲と部分的範囲の量でＳｒＯを含む。
【００６３】
いくつかの実施の形態において、前記ガラス組成物は、約０モル％から約２モル％、約０モル％から約１．５モル％、約０モル％から約１モル％、約０．５モル％から約２モル％、約１モル％から約２モル％、または約１．５モル％から約２モル％の範囲、およびそれらの間の全ての範囲と部分的範囲の量でＢａＯを含む。
【００６４】
１つ以上の実施の形態において、前記ガラス組成物は、約０．２５モル％以下、約０．２４モル％未満、約０．２２モル％未満、約０．２モル％未満、約０．１８モル％未満、約０．１６モル％未満、約０．１５モル％未満、約０．１４モル％未満、約０．１２モル％未満の量でＳｎＯ２を含む。１つ以上の実施の形態において、そのガラス組成物は、約０．０１モル％から約０．２５モル％、約０．０１モル％から約０．２４モル％、約０．０１モル％から約０．２２モル％、約０．０１モル％から約０．２モル％、約０．０１モル％から約０．１８モル％、約０．０１モル％から約０．１６モル％、約０．０１モル％から約０．１５モル％、約０．０１モル％から約０．１４モル％、約０．０１モル％から約０．１２モル％、または約０．０１モル％から約０．１０モル％の範囲、およびそれらの間の全ての範囲と部分的範囲でＳｎＯ２を含む。いくつかの実施の形態において、ＳｎＯ２は、アンチモン、ヒ素、鉄、セリウムなどの多価または他の酸素吸収剤である別の清澄剤と置換されてもよい。
【００６５】
１つ以上の実施の形態において、前記ガラス組成物は、前記ガラス物品に色または色合いを与える酸化物を含むことがある。いくつかの実施の形態において、そのガラス組成物は、ガラス物品が紫外線に暴露されたときに、そのガラス物品の変色を防ぐ酸化物を含む。そのような酸化物の例としては、制限なく、Ｔｉ、Ｖ、Ｃｒ、Ｍｎ、Ｆｅ、Ｃｏ、Ｎｉ、Ｃｕ、Ｃｅ、Ｗ、およびＭｏの酸化物が挙げられる。
【００６６】
１つ以上の実施の形態において、前記ガラス組成物は、Ｆｅ２Ｏ３として表されるＦｅを含み、ここで、Ｆｅは、約１モル％まで（含む）の量で存在する。いくつかの実施の形態において、前記ガラス組成物は、Ｆｅを実質的に含まない。１つ以上の実施の形態において、前記ガラス組成物は、約０モル％から約１モル％、約０モル％から約０．９モル％、約０モル％から約０．８モル％、約０モル％から約０．７モル％、約０モル％から約０．６モル％、約０モル％から約０．５モル％、約０モル％から約０．４モル％、約０モル％から約０．３モル％、約０モル％から約０．２モル％、約０モル％から約０．１モル％、約０．０１モル％から約０．９モル％、約０．０１モル％から約０．８モル％、約０．０１モル％から約０．７モル％、約０．０１モル％から約０．６モル％、約０．０１モル％から約０．５モル％、約０．０１モル％から約０．４モル％、約０．０１モル％から約０．３モル％、約０．０１モル％から約０．２モル％、約０．０５モル％から約０．１モル％、約０．１モル％から約１モル％、約０．２モル％から約１モル％、約０．３モル％から約１モル％、約０．４モル％から約１モル％、約０．５モル％から約１モル％、約０．６モル％から約１モル％、約０．２モル％から約０．８モル％、または約０．４モル％から約０．８モル％の範囲、およびそれらの間の全ての範囲と部分的範囲でＦｅ２Ｏ３として表されるＦｅを含む。１つ以上の実施の形態において、Ｆｅ源は、シュウ酸塩／Ｉ２、Ｆｅ２Ｏ３／Ｉ８であることがある。いくつかの実施の形態において、Ｆｅ２Ｏ３として表されるＦｅの量は、約０．１質量％から約５質量％、約０．１質量％から約４質量％、約０．１質量％から約３質量％、約０．１質量％から約２．５質量％、約０．２質量％から約５質量％、約０．３質量％から約５質量％、または約０．４質量％から約５質量％の範囲、およびそれらの間の全ての範囲と部分的範囲の質量％で表される。
【００６７】
１つ以上の実施の形態において、前記ガラス組成物は、約０．００１モル％から０．０１モル％、約０．００２モル％から０．０１モル％、約０．００３モル％から０．０１モル％、約０．００４モル％から０．０１モル％、約０．００５モル％から０．０１モル％、約０．００６モル％から０．０１モル％、約０．００７モル％から０．０１モル％、約０．００１モル％から０．００９モル％、約０．００１モル％から０．００８モル％、約０．００１モル％から０．００７モル％、約０．００１モル％から０．００６モル％、または約０．００１モル％から０．００５モル％の範囲、およびそれらの間の全ての範囲と部分的範囲の量で、Ｃｏ３Ｏ４として表されるＣｏの総量を含む。
【００６８】
１つ以上の実施の形態のガラス組成物は、ＮｉＯ、Ｖ２Ｏ５、およびＴｉＯ２のいずれか１つ以上を含むことがある。
【００６９】
前記ガラス組成物がＴｉＯ２を含む場合、ＴｉＯ２は、約５モル％以下、約２．５モル％以下、約２モル％以下、または約１モル％以下の量で存在することがある。１つ以上の実施の形態において、前記ガラス組成物はＴｉＯ２を実質的に含まないことがある。そのガラス組成物がＮｉＯを含む場合、ＮｉＯは、約０．６モル％以下、または約０．１モル％以下の量で存在することがある。１つ以上の実施の形態において、そのガラス組成物は、ＮｉＯを実質的に含まないことがある。１つ以上の実施の形態において、そのガラス組成物は、Ｖ２Ｏ５を実質的に含まないことがある。１つ以上の実施の形態において、そのガラス組成物は、ＴｉＯ２を実質的に含まないことがある。１つ以上の実施の形態において、そのガラス組成物は、ＮｉＯ、Ｖ２Ｏ５、およびＴｉＯ２のいずれか２つまたは３つ全てを実質的に含まないことがある。
【００７０】
１つ以上の実施の形態において、前記ガラス組成物は、約０．９モル％未満のＣｕＯ（例えば、約０．５モル％未満、約０．１モル％未満または約０．０１モル％未満）を含むことがある。いくつかの実施の形態において、前記ガラス組成物は、ＣｕＯを実質的に含まない。
【００７１】
１つ以上の実施の形態において、前記ガラス組成物は、約０．２モル％未満のＳｅ（例えば、約０．１モル％未満、または約０．０１モル％未満）を含むことがある。いくつかの実施の形態において、前記ガラス組成物は、Ｓｅを実質的に含まない。
【００７２】
１つ以上の実施の形態において、前記ガラス組成物（またはそれから形成された物品）は、特定の技術によるガラス物品の形成を可能にする液相粘度を示す。ここに用いられているように、「液相粘度」という用語は、液相温度での溶融ガラスの粘度を称し、ここで、「液相温度」という用語は、溶融ガラスが溶融温度から冷めるときに、結晶が最初に現れる温度（または温度が室温から昇温されたときに、一番最後の結晶が溶け去る温度）を称する。
【００７３】
１つ以上の実施の形態において、前記ガラス組成物（またはそれから形成されたガラス物品）は、約１００キロポアズ（ｋＰ）以上、約５００ｋＰ以上、約１０００ｋＰ以上、５０００ｋＰ以上、１０，０００ｋＰ以上、１５，０００ｋＰ以上、２０，０００ｋＰ以上、２５，０００ｋＰ以上、３０，０００ｋＰ以上、３５，０００ｋＰ以上の液相粘度を示す。１つ以上の実施の形態において、そのガラス組成物（またはそれから形成されたガラス物品）は、約１００ｋＰから約５０，０００ｋＰの範囲の液相粘度を示す。そのようなガラス組成物は、フュージョン成形可能と記載することができ、フュージョン法により形成された結果として得られたガラス物品は、フュージョン成形されたと特徴付けられる。ここで、フュージョン成形可能およびフュージョン成形されたとは、それぞれ、ガラス組成物またはガラス物品が示す液相粘度を示す。いくつかの実施の形態において、フュージョン成形されたガラス物品は、典型的なフロート成形されたガラス物品に存在する抜き取り線(draw line)を実質的に含まない。その液相粘度は、以下の方法によって決定される。最初に、ガラスの液相温度は、「Standard Practice for Measurement of Liquidus Temperature of Glass by the Gradient Furnace Method」と題するＡＳＴＭ  Ｃ８２９−８１（２０１５）にしたがって測定される。次に、その液相温度でのガラスの粘度が、「Standard Practice for Measuring Viscosity of Glass Above the Softening Point」と題するＡＳＴＭ  Ｃ９６５−９６（２０１２）にしたがって測定される。
【００７４】
ここに記載されたガラス物品の様々な実施の形態は、比較的低い徐冷点温度、軟化点温度、垂下温度、および比較的高い液相粘度の内の１つ以上を示すガラス組成物を有する。
【００７５】
１つ以上の実施の形態において、前記ガラス組成物またはそれらの組成物から形成されたガラス物品は、約４７５℃から約５７５℃の範囲の歪み点を示す。１つ以上の実施の形態において、その歪み点は、約４８０℃から約５７５℃、約４９０℃から約５７５℃、約５００℃から約５７５℃、約５１０℃から約５７５℃、約５２０℃から約５７５℃、約５３０℃から約５７５℃、約５４０℃から約５７５℃、約５５０℃から約５７５℃、約４７５℃から約５７０℃、約４７５℃から約５６０℃、約４７５℃から約５５０℃、約４７５℃から約５４０℃、約４７５℃から約５３０℃、約４７５℃から約５２０℃、約４７５℃から約５１０℃、または約４７５℃から約５００℃の範囲、およびそれらの間の全ての範囲と部分的範囲にあることがある。ある場合には、そのガラス組成物またはそれらの組成物から形成されたガラス物品は、約５５０℃以下、または約５３０℃以下の歪み点を示す。その歪み点は、ＡＳＴＭ  Ｃ５９８−９３（２０１３）のビーム曲げ粘度法を使用して決定される。
【００７６】
１つ以上の実施の形態において、前記ガラス組成物またはそれらの組成物から形成されたガラス物品は、約５１０℃から約６１０℃の範囲の徐冷点温度を示す。１つ以上の実施の形態において、そのガラス組成物またはそれらの組成物から形成されたガラス物品は、約５８０℃未満の徐冷点温度を示す。その徐冷点は、約５２０℃から約６１０℃、約５３０℃から約６１０℃、約５４０℃から約６１０℃、約５５０℃から約６１０℃、約５６０℃から約６１０℃、約５１０℃から約６００℃、約５１０℃から約５９０℃、約５１０℃から約５８０℃、約５１０℃から約５７０℃、約５１０℃から約５６０℃、約５１０℃から約５５０℃、約５１０℃から約５４０℃、または約５３０℃から約５７０℃の範囲、およびそれらの間の全ての範囲と部分的範囲にあることがある。いくつかの実施の形態において、その徐冷点温度は、約６００℃未満である。その徐冷点は、ＡＳＴＭ  Ｃ５９８−９３（２０１３）のビーム曲げ粘度法を使用して決定される。
【００７７】
１つ以上の実施の形態において、前記ガラス組成物またはそれらの組成物から形成されたガラス物品は、約７２５℃から約８６０℃の範囲の軟化点温度を示す。その軟化点温度は、約７３０℃から約８６０℃、約７４０℃から約８６０℃、約７５０℃から約８６０℃、約７６０℃から約８６０℃、約７７０℃から約８６０℃、約７８０℃から約８６０℃、約７９０℃から約８６０℃、約８００℃から約８６０℃、約７２５℃から約８５０℃、約７２５℃から約８４０℃、約７２５℃から約８３０℃、約７２５℃から約８２０℃、約７２５℃から約８１０℃、約７２５℃から約８００℃、約７２５℃から約７９０℃、約７２５℃から約７８０℃、約７２５℃から約７７０℃、約７２５℃から約７６０℃、または約７２５℃から約７５０℃の範囲、およびそれらの間の全ての範囲と部分的範囲にあることがある。その軟化点温度は、ＡＳＴＭ  Ｃ１３５１Ｍ−９６（２０１２）の平行板粘度法を使用して決定される。
【００７８】
１つ以上の実施の形態において、前記ガラス組成物またはそれらの組成物から形成されたガラス物品は、約１５０℃超、約１７５℃超、約２００℃超、または約２２５℃超の、徐冷点温度と軟化点温度との間の大きさの差を示す。いくつかの実施の形態において、その徐冷点温度と軟化点温度との間の大きさの差は、約１７５℃から約２５０℃、約１８０℃から約２５０℃、約１９０℃から約２５０℃、約２００℃から約２５０℃、約２１０℃から約２５０℃、約２２０℃から約２５０℃、約２２５℃から約２５０℃、約１７５℃から約２４０℃、約１７５℃から約２３０℃、約１７５℃から約２２０℃、約１７５℃から約２１０℃、約１７５℃から約２００℃、約１７５℃から約１９０℃、または約２００℃から約２４０℃の範囲内にある。
【００７９】
１つ以上の実施の形態において、前記ガラス組成物またはそれらの組成物から形成されたガラス物品は、約７２０℃未満の、（徐冷点温度＋軟化点温度）／２の関係を示す。例えば、その関係（徐冷点温度＋軟化点温度）／２は、約７１０℃以下、約７００℃以下、約６９０℃以下、約６８０℃以下、約６７０℃以下、約６６０℃以下、約６５０℃以下であることがある。ある場合には、その関係（徐冷点温度＋軟化点温度）／２は、約６２５℃から約７２５℃、約６２５℃から約７００℃、約６５０℃から約７００℃、または約６７５℃から約７００℃の範囲内にある。いくつかの実施の形態において、そのガラス組成物またはそれらの組成物から形成されたガラス物品は、（徐冷点温度＋軟化点温度）／２の記載された関係を示す一方で、アルミノケイ酸塩ガラスとしても特徴付けられる。１つ以上の特定の実施の形態において、そのガラス組成物またはそれらの組成物から形成されたガラス物品は、（徐冷点温度＋軟化点温度）／２の記載された関係を示す一方で、約２モル％超（例えば、２．２５モル％以上、２．５モル％以上、または約３モル％以上）のＡｌ２Ｏ３も含む。
【００８０】
１つ以上の実施の形態において、前記ガラス組成物またはそれらの組成物から形成されたガラス物品は、高温粘度（ＨＴＶ）データ（すなわち、１００ｋＰから１００ポアズの温度測定値の全て）へのフルチャーのフィッティングによって測定して、約９００℃より高い、または約１２００℃より高いＴ２００を示す。例えば、そのガラス組成物またはそれらの組成物から形成されたガラス物品は、約９００℃から約１８００℃、約１０００℃から約１８００℃、約１１００℃から約１８００℃、約１２００℃から約１８００℃、約１３００℃から約１８００℃、約１４００℃から約１８００℃、約１５００℃から約１８００℃、約９００℃から約１７００℃、約９００℃から約１６００℃、約９００℃から約１５００℃、約９００℃から約１４００℃、約９００℃から約１３００℃、約９００℃から約１２００℃、約９００℃から約１１００℃、約１２００℃から約１７００℃、約１２００℃から約１６００℃、約１２００℃から約１５００℃、約１２００℃から約１４００℃、または約１５００℃から約１７００℃の範囲内のＴ２００を示すことがある。
【００８１】
１つ以上の実施の形態において、前記ガラス組成物またはそれらの組成物から形成されたガラス物品は、高温粘度（ＨＴＶ）データ（すなわち、１００ｋＰから１００ポアズの温度測定値の全て）へのフルチャーのフィッティングによって測定して、約１０００℃より高いＴ３５０００を示す。いくつかの実施の形態において、そのガラス組成物またはそれらの組成物から形成されたガラス物品は、約１０００℃以上、約１０１０℃以上、約１０２０℃以上、約１０３０℃以上、約１０４０℃以上、約１０５０℃以上、約１０６０℃以上、約１０７０℃以上、約１０８０℃以上、約１０９０℃以上、約１１００℃以上、約１１１０℃以上、約１１２０℃以上、約１１３０℃以上、約１１４０℃以上、約１１５０℃以上、約１１６０℃以上、約１１７０℃以上、約１１８０℃以上、約１１９０℃以上、約１２００℃以上、約１２１０℃以上、約１２２０℃以上、約１２３０℃以上、約１２４０℃以上、または約１２５０℃以上のＴ３５０００を示す。そのＴ３５０００は、約１０００℃から約１２００℃、約１０１０℃から約１２００℃、約１０２０℃から約１２００℃、約１０３０℃から約１２００℃、約１０４０℃から約１２００℃、約１０５０℃から約１２００℃、約１０００℃から約１１９０℃、約１０００℃から約１１８０℃、約１０００℃から約１１７０℃、約１０００℃から約１１６０℃、約１０００℃から約１１５０℃、または約１０００℃から約１１４０℃の範囲内にあることがある。
【００８２】
１つ以上の実施の形態において、前記ガラス組成物またはそれらの組成物から形成されたガラス物品は、ＨＴＶデータへのフルチャーのフィッティングによって測定して、約９００℃より高い、約２００ｋＰの粘度での温度（Ｔ２０００００）を示す。いくつかの実施の形態において、そのガラス組成物またはそれらの組成物から形成されたガラス物品は、約９１０℃以上、約９２０℃以上、約９３０℃以上、約９４０℃以上、約９５０℃以上、約９６０℃以上、約９７０℃以上、約９８０℃以上、約９９０℃以上、約１０００℃以上、約１０１０℃以上、約１０２０℃以上、約１０３０℃以上、約１０４０℃以上、約１０５０℃以上、約１０６０℃以上、約１０７０℃以上、約１０８０℃以上、約１０９０℃以上、約１１００℃以上、約１１５０℃以上、約１２００℃以上、または約１２５０℃以上のＴ２０００００を示す。いくつかの実施の形態において、そのガラス組成物またはそれらの組成物から形成されたガラス物品は、約９００℃から約１２００℃、約９２５℃から約１２００℃、約９５０℃から約１２００℃、約９７５℃から約１２００℃、約１０００℃から約１２００℃、約１０５０℃から約１２００℃、約１１００℃から約１２００℃、約１１５０℃から約１２００℃、約１２００℃から約１２００℃、約９００℃から約１１９０℃、約９００℃から約１１８０℃、約９００℃から約１１７０℃、約９００℃から約１１６０℃、約９００℃から約１１５０℃、約９００℃から約１１４０℃、約９００℃から約１１３０℃、約９００℃から約１１２０℃、約９００℃から約１１１０℃、約９００℃から約１１００℃、約９００℃から約１０５０℃、または約９００℃から約１０００℃の範囲内のＴ２０００００を示す。
【００８３】
いくつかの実施の形態において、前記ガラス物品は、約４００℃から約６００℃の範囲の大きさを有する、Ｔ２００とＴ３５０００との間の差（または関係Ｔ２００−Ｔ３５０００）を示す。例えば、Ｔ２００とＴ３５０００との間の差は、約４２０℃から約６００℃、約４４０℃から約６００℃、約４５０℃から約６００℃、約４６０℃から約６００℃、約４８０℃から約６００℃、約５００℃から約６００℃、約５２０℃から約６００℃、約４００℃から約５８０℃、約４００℃から約５６０℃、約４００℃から約５５０℃、約４００℃から約５４０℃、約４５０℃から約５６０℃、または約４６０℃から約５６０℃の範囲の大きさを有することがある。
【００８４】
１つ以上の実施の形態において、前記ガラス物品は、−８００℃未満の、関係（徐冷点＋軟化点）／２とＴ２００の間の差を有する。例えば、関係（徐冷点＋軟化点）／２とＴ２００の間の差は、約−１０５０℃から約−８００℃、約−１０００℃から約−８００℃、約−９５０℃から約−８００℃、約−９００℃から約−８００℃、約−１０５０℃から約８５０℃、約−１０５０℃から約−９００℃、約−１０５０℃から約−９５０℃、または約−１０５０℃から約−１０００℃の範囲にある。
【００８５】
１つ以上の実施の形態において、前記ガラス物品は、−３００℃未満の、関係（徐冷点＋軟化点）／２とＴ３５０００の間の差を有する。例えば、関係（徐冷点＋軟化点）／２とＴ３５０００の間の差は、約−５００℃から約−３００℃、約−４７５℃から約−３００℃、約−４５０℃から約−３００℃、約−４２５℃から約−３００℃、約−４００℃から約−３００℃、約−５００℃から約−３２５℃、約−５００℃から約−３５０℃、約−５００℃から約−３７５℃、または約−５００℃から約−４００℃の範囲にある。
【００８６】
１つ以上の実施の形態において、前記ガラス物品は、約１０３０℃超（例えば、約１０３５℃以上、約１０４０℃以上、約１０４５℃以上、約１０５０℃以上、約１０５５℃以上、約１０６０℃以上、約１０６５℃以上、または約１０７０℃以上）のＴ２００、Ｔ３５０００、またはＴ２００とＴ３５０００を有する。
【００８７】
１つ以上の実施の形態において、前記ガラス組成物またはそれらの組成物から形成されたガラス物品は、約６００℃から約７２０℃、約６００℃から約７００℃、または約６２０℃から約７２０℃の範囲の垂下温度を示す。１つ以上の実施の形態において、そのガラス組成物またはそれらの組成物から形成されたガラス物品は、約６０５℃から約７２０℃、約６１０℃から約７２０℃、約６１５℃から約７２０℃、約６２０℃から約７２０℃、約６２５℃から約７２０℃、約６３０℃から約７２０℃、約６３５℃から約７２０℃、約６４０℃から約７２０℃、約６４５℃から約７２０℃、約６５０℃から約７２０℃、約６５５℃から約７２０℃、約６６０℃から約７２０℃、約６６５℃から約７２０℃、約６７０℃から約７２０℃、約６２０℃から約７１０℃、約６２０℃から約７００℃、約６２０℃から約６９０℃、約６２０℃から約６８０℃、約６２０℃から約６７０℃、約６２０℃から約６６０℃、約６２０℃から約６５０℃、約６２０℃から約７１０℃、約６２５℃から約６９５℃、約６２５℃から約６９０℃、約６２５℃から約６８５℃、約６２５℃から約６８０℃、約６２５℃から約６７５℃、約６２５℃から約６７０℃、約６２５℃から約６６５℃、約６２５℃から約６６０℃、約６２５℃から約６５５℃、約６２５℃から約６５０℃、約６３０℃から約７１０℃、約６３５℃から約７１０℃、約６４０℃から約７１０℃、約６４５℃から約７１０℃、約６５０℃から約７１０℃、約６５５℃から約７１０℃、約６６０℃から約７１０℃、約６６５℃から約７１０℃、約６７０℃から約７１０℃、約６７５℃から約７１０℃、約６８０℃から約７１０℃、約６８５℃から約７１０℃、または約６９０℃から約７１０℃の範囲にある垂下温度を示す。１つ以上の実施の形態において、そのガラス組成物またはそのような組成物から形成されたガラス物品は、約６００℃から約７００℃の範囲の垂下温度を示す一方で、約１６モル％以上（例えば、約１７モル％以上、約１８モル％以上、または約１９モル％以上）の全アルカリ金属酸化物含有量も有する。
【００８８】
１つ以上の実施の形態において、前記ガラス組成物またはそれから形成されたガラス物品は、温度の関数としての対数粘度曲線を有する。この曲線の例が、図１０に示されている。
【００８９】
１つ以上の実施の形態において、前記ガラス組成物またはそれから形成されたガラス物品は、約２．６ｇ／ｃｍ３未満の、２０℃での粘度を示す。１つ以上の実施の形態において、そのガラス組成物またはそれから形成されたガラス物品の粘度は、約２．５５ｇ／ｃｍ３未満である。例えば、そのガラス組成物またはそれから形成されたガラス物品の粘度は、約２．３ｇ／ｃｍ３から約２．６ｇ／ｃｍ３、約２．３２ｇ／ｃｍ３から約２．６ｇ／ｃｍ３、約２．３４ｇ／ｃｍ３から約２．６ｇ／ｃｍ３、約２．３５ｇ／ｃｍ３から約２．６ｇ／ｃｍ３、約２．３６ｇ／ｃｍ３から約２．６ｇ／ｃｍ３、約２．３８ｇ／ｃｍ３から約２．６ｇ／ｃｍ３、約２．４ｇ／ｃｍ３から約２．６ｇ／ｃｍ３、約２．４２ｇ／ｃｍ３から約２．６ｇ／ｃｍ３、約２．４４ｇ／ｃｍ３から約２．６ｇ／ｃｍ３、約２．４５ｇ／ｃｍ３から約２．６ｇ／ｃｍ３、約２．４６ｇ／ｃｍ３から約２．６ｇ／ｃｍ３、約２．４８ｇ／ｃｍ３から約２．６ｇ／ｃｍ３、約２．５ｇ／ｃｍ３から約２．６ｇ／ｃｍ３、約２．３ｇ／ｃｍ３から約２．５８ｇ／ｃｍ３、約２．３ｇ／ｃｍ３から約２．５６ｇ／ｃｍ３、約２．３ｇ／ｃｍ３から約２．５５ｇ／ｃｍ３、約２．３ｇ／ｃｍ３から約２．５４ｇ／ｃｍ３、約２．３ｇ／ｃｍ３から約２．５２ｇ／ｃｍ３、約２．３ｇ／ｃｍ３から約２．５ｇ／ｃｍ３、約２．３ｇ／ｃｍ３から約２．４８ｇ／ｃｍ３、約２．３ｇ／ｃｍ３から約２．４６ｇ／ｃｍ３、約２．３ｇ／ｃｍ３から約２．４５ｇ／ｃｍ３、約２．３ｇ／ｃｍ３から約２．４４ｇ／ｃｍ３、約２．３ｇ／ｃｍ３から約２．４２ｇ／ｃｍ３、約２．３ｇ／ｃｍ３から約２．４ｇ／ｃｍ３、約２．４５ｇ／ｃｍ３から約２．５２ｇ／ｃｍ３、または約２．４８ｇ／ｃｍ３から約２．５５ｇ／ｃｍ３の範囲にある。その密度は、ＡＳＴＭ  Ｃ６９３−９３（２０１３）の浮力法を使用して決定した。
【００９０】
１つ以上の実施の形態において、前記ガラス組成物は、アイソパイプにジルコン耐火物のライニングおよび機械設備を要求する現行のフュージョンドロー設計との適合性により特徴付けられるようにフュージョン成形可能である。ある場合には、ガラス組成物は、ジルコンと反応し、ジルコンをシリカ（ガラス中に溶ける）およびジルコニア（流れによって、溶融ガラス中に同伴され、最終ガラス物品中に最終的に入る）に分解すし得る。溶融ガラスによるジルコンの攻撃は、ゆっくり時間をかけて継続し、ガラス中のジルコン含有物のレベルまたは濃度が増加する。アイソパイプ中のジルコンが分解して、ジルコニアおよびシリカを形成する温度（ここでは「分解温度」または「Ｔ分解」とも称される）が、アイソパイプに見られるどの温度よりも高ければ、フュージョンドローされたガラス中のジルコニア含有物の問題（「フュージョンラインジルコニア」とも称される）は起こらないであろう。この場合、アイソパイプ上でガラスを形成するために使用される温度は、ジルコニアを形成するのに低すぎるであろうし、そのような欠陥はガラス中に形成できないであろう。フュージョン法は基本的に等粘度過程であるので、ガラスに見られる最高温度が、そのガラスの特定の粘度に対応する。当該技術分野で公知の標準的なフュージョンドロー操作において、この粘度は約３５，０００ポアズ（「３５キロポアズ」または「３５ｋＰ」）である。１つ以上の実施の形態において、ここに記載されたガラス組成物は、約３５ｋＰ未満のジルコン分解粘度を示す一方で、ここに記載された他の性質も示す。具体的には、ここに記載されたガラス組成物は、約６ｋＰから約３５ｋＰの範囲のジルコン分解粘度を示す一方で、約６２５℃から約７２５℃の範囲の（徐冷点＋軟化点）／２の関係も示す。
【００９１】
熱膨張係数（ＣＴＥ）は、ここでは百万分率（ｐｐｍ）／℃の単位で表され、特に明記のない限り、約２０℃から約３００℃の温度範囲に亘り測定された値を表す。高温（または液体）熱膨張係数（高温ＣＴＥ）も、百万分率（ｐｐｍ）毎摂氏温度（ｐｐｍ／℃）の単位で表され、瞬間熱膨張係数（ＣＴＥ）対温度の曲線の高温平坦域で測定した値を表す。高温ＣＴＥは、変態領域を通じたガラスの加熱または冷却に関連する体積変化を測定する。
【００９２】
１つ以上の実施の形態において、前記ガラス物品は、約２０℃から約３００℃の温度範囲に亘り測定された、約７５×１０−７ｐｐｍ／℃以上、または約８０×１０−７ｐｐｍ／℃の範囲内のＣＴＥを示す。
【００９３】
いくつかの実施の形態において、前記ガラス物品は、約７５×１０−７ｐｐｍ／℃から約１２０×１０−７ｐｐｍ／℃、約８０×１０−７ｐｐｍ／℃から約１２０×１０−７ｐｐｍ／℃、約８５×１０−７ｐｐｍ／℃から約１２０×１０−７ｐｐｍ／℃、約９０×１０−７ｐｐｍ／℃から約１２０×１０−７ｐｐｍ／℃、約９５×１０−７ｐｐｍ／℃から約１２０×１０−７ｐｐｍ／℃、約１００×１０−７ｐｐｍ／℃から約１２０×１０−７ｐｐｍ／℃、約７５×１０−７ｐｐｍ／℃から約１１５×１０−７ｐｐｍ／℃、約７５×１０−７ｐｐｍ／℃から約１１０×１０−７ｐｐｍ／℃、約７５×１０−７ｐｐｍ／℃から約１０５×１０−７ｐｐｍ／℃、約７５×１０−７ｐｐｍ／℃から約１００×１０−７ｐｐｍ／℃、約７５×１０−７ｐｐｍ／℃から約９５×１０−７ｐｐｍ／℃、約８０×１０−７ｐｐｍ／℃から約１００×１０−７ｐｐｍ／℃、約９０×１０−７ｐｐｍ／℃から約１００×１０−７ｐｐｍ／℃、または約９５×１０−７ｐｐｍ／℃から約１００×１０−７ｐｐｍ／℃の範囲にある高温（または液体）ＣＴＥを示す。
【００９４】
１つ以上の実施の形態において、前記ガラス物品は、約７０ＧＰａから約８５ＧＰａ、約７２ＧＰａから約８５ＧＰａ、約７４ＧＰａから約８５ＧＰａ、約７５ＧＰａから約８５ＧＰａ、約７６ＧＰａから約８５ＧＰａ、約７０ＧＰａから約８０ＧＰａ、約７２ＧＰａから約８０ＧＰａ、約７４ＧＰａから約８０ＧＰａ、約７５ＧＰａから約８０ＧＰａ、約７６ＧＰａから約８０ＧＰａ、約７０ＧＰａから約７８ＧＰａ、約７０ＧＰａから約７６ＧＰａ、約７０ＧＰａから約７５ＧＰａ、約７２ＧＰａから約７８ＧＰａ、約７５ＧＰａから約７９ＧＰａ、または約７０ＧＰａから約７７ＧＰａの範囲にあるヤング率を示す。
【００９５】
図２を参照すると、ガラス物品１００の実施の形態は、第１の主面１０２、反対の第２の主面１０４を備え、その第１の主面と第２の主面との間の厚さｔ１１０を規定する。
【００９６】
１つ以上の実施の形態において、厚さｔは、約３ミリメートル以下（例えば、約０．０１ミリメートルから約３ミリメートル、約０．１ミリメートルから約３ミリメートル、約０．２ミリメートルから約３ミリメートル、約０．３ミリメートルから約３ミリメートル、約０．４ミリメートルから約３ミリメートル、約０．０１ミリメートルから約２．５ミリメートル、約０．０１ミリメートルから約２ミリメートル、約０．０１ミリメートルから約１．５ミリメートル、約０．０１ミリメートルから約１ミリメートル、約０．０１ミリメートルから約０．９ミリメートル、約０．０１ミリメートルから約０．８ミリメートル、約０．０１ミリメートルから約０．７ミリメートル、約０．０１ミリメートルから約０．６ミリメートル、約０．０１ミリメートルから約０．５ミリメートル、約０．１ミリメートルから約０．５ミリメートル、または約０．３ミリメートルから約０．５ミリメートル）であることがある。
【００９７】
前記ガラス物品は、実質的に平面のシートであることがあるが、他の実施の形態で、湾曲したかまたは別のやり方で成形または造形された物品を利用してもよい。ある場合には、そのガラス物品は、３Ｄまたは２．５Ｄ形状を有することがある。それに加え、またはそれに代えて、そのガラス物品の厚さは、１つ以上の次元に沿って一定であっても、または審美的および／または機能的理由のために、その次元の１つ以上に沿って変動してもよい。例えば、ガラス物品の縁は、そのガラス物品の中央よりの領域と比べて、厚くてもよい。そのガラス物品の長さ、幅および厚さも、物品の用途または使途にしたがって変動してもよい。いくつかの実施の形態において、ガラス物品１００Ａは、図３に示されるように、１つの副面１０６での厚さが、反対の副面１０８での厚さより大きい、くさび形を有することがある。厚さが変動する場合、ここに開示された厚さ範囲は、主面間の最大厚さである。
【００９８】
前記ガラス物品は、約１．４５から約１．５５の範囲の屈折率を有することがある。ここに用いられているように、屈折率値は、５５０ｎｍの波長に関する。
【００９９】
前記ガラス物品は、それが形成される様式によって特徴付けられることがある。例えば、ガラス物品は、フロート成形可能（すなわち、フロート法により成形される、またはフロート成形される）、ダウンドロー可能（すなわち、ダウンドロー法により成形される、またはダウンドロー法により製造される）と特徴付けられることがある。ダウンドロー法の特定例に、フュージョンドロー法またはスロットドロー法がある。フュージョンドロー法により製造されたガラス物品は、フュージョン成形されており、スロットドロー法により成形されたガラス物品は、スロットドロー成形されている。
【０１００】
ここに記載されたガラス物品のいくつかの実施の形態は、フロート法により成形されることがある。フロート成形されたガラス物品は、平滑な表面により特徴付けることができ、均一な厚さは、溶融金属、典型的にスズの床上に溶融ガラスを浮遊させることによって作られる。例示の過程において、溶融スズ床の表面上に供給される溶融ガラスが、浮遊ガラスリボンを形成する。ガラスリボンがスズ浴に沿って流れるにつれて、その温度は、ガラスリボンが、スズからローラに持ち上げられる固体ガラス物品に固化するまで、徐々に低下する。そのガラス物品は、一旦浴から離れたら、さらに冷却され、徐冷されて、内部応力を減少させることができる。いくつかの実施の形態において、フロート成形されたガラス物品は、スズ浴からの抜き取り線を示す。
【０１０１】
ここに記載されたガラス物品のいくつかの実施の形態は、ダウンドロー法により成形されることがある。ダウンドロー法により製造されたガラス物品は、均一な厚さおよび比較的無垢な表面を有する。そのガラス物品の平均曲げ強度は、表面傷の量とサイズにより制御されるので、接触が最小の無垢な表面は、より高い初期強度を有する。その上、ダウンドロー法により製造されたガラス物品は、費用のかかる研削および研磨を必要とせずに、最終用途に使用できる非常に平らで平滑な表面を有する。
【０１０２】
前記フュージョン法では、溶融ガラス原材料を受け容れるための通路を有する延伸槽が使用される。この通路は、通路の両側に通路の長さに沿って上部で開いた堰を有する。その通路が溶融材料で満たされると、溶融ガラスが堰を溢れ出る。溶融ガラスは、重力のために、延伸槽の外面を２つの流れるガラス膜として流下する。延伸槽のこれらの外面は、それらが延伸槽の下の縁で接合するように下方かつ内側に延在する。２つの流れるガラス膜は、この縁で接合して、融合し、１つの流れるガラス物品を形成する。このフュージョンドロー法は、通路を越えて流れる２つのガラス膜が互いに融合するので、結果として得られたガラス物品の外面のいずれも、装置のどの部分とも接触しないという利点を提示する。それゆえ、フュージョンドロー法により製造されたガラス物品の表面特性は、そのような接触の影響を受けない。
【０１０３】
ここに記載されたガラス物品のいくつかの実施の形態は、スロットドロー法により成形されることがある。そのスロットドロー法は、フュージョンドロー法とは異なる。スロットドロー法において、溶融原材料ガラスが延伸槽に供給される。その延伸槽の底部に、開けられたスロットであって、そのスロットの長さに延在するノズルを有するスロットがある。溶融ガラスは、スロット／ノズルを通って流れ、連続したガラス物品として、徐冷領域へと下方に延伸される。
【０１０４】
１つ以上の実施の形態において、ここに記載されたガラス物品は、非晶質微小構造を示すことがあり、結晶または晶子を実質的に含まないことがある。言い換えると、そのガラス物品では、ガラスセラミック材料は除かれる。
【０１０５】
１つ以上の実施の形態において、前記ガラス物品は、そのガラス物品の厚さが０．７ｍｍであるときに、約３００ｎｍから約２５００ｎｍの波長範囲に亘り、約９０％以下の全日射透過率を示す。例えば、そのガラス物品は、約６０％から約８８％、約６２％から約８８％、約６４％から約８８％、約６５％から約８８％、約６６％から約８８％、約６８％から約８８％、約７０％から約８８％、約７２％から約８８％、約６０％から約８６％、約６０％から約８５％、約６０％から約８４％、約６０％から約８２％、約６０％から約８０％、約６０％から約７８％、約６０％から約７６％、約６０％から約７５％、約６０％から約７４％、または約６０％から約７２％の範囲の全日射透過率を示す。
【０１０６】
１つ以上の実施の形態において、前記ガラス物品は、０．７ｍｍまたは１ｍｍの厚さで、約３８０ｎｍから約７８０ｎｍの波長範囲に亘り、約７５％から約８５％の範囲の平均透過率を示す。いくつかの実施の形態において、この厚さでの、この波長範囲に亘る平均透過率は、約７５％から約８４％、約７５％から約８３％、約７５％から約８２％、約７５％から約８１％、約７５％から約８０％、約７６％から約８５％、約７７％から約８５％、約７８％から約８５％、約７９％から約８５％、または約８０％から約８５％の範囲にあることがある。１つ以上の実施の形態において、そのガラス物品は、０．７ｍｍまたは１ｍｍの厚さで、約３００ｎｍから約４００ｎｍの波長範囲に亘り、５０％以下（例えば、４９％以下、４８％以下、４５％以下、４０％以下、３０％以下、２５％以下、２３％以下、２０％以下、または１５％以下）のＴｕｖ−３８０またはＴｕｖ−４００を示す。
【０１０７】
１つ以上の実施の形態において、前記ガラス物品は、表面から圧縮深さ（ＤＯＣ）まで延在する圧縮応力（ＣＳ）を含むように強化されることがある。その表面（ＣＳ）領域は、引張応力（ＣＴ）を示す中央部分によって釣り合わされている。ＤＯＣでは、応力は、正の（圧縮）応力から負の（引張）応力に交差する；しかしながら、ここに与えられた圧縮応力および引張応力の値は、絶対値である。
【０１０８】
１つ以上の実施の形態において、前記ガラス物品は、圧縮応力領域および引張応力を示す中央領域を作るように、その物品の部分の間の熱膨張係数の不一致を利用することによって、機械的に強化されることがある。いくつかの実施の形態において、そのガラス物品は、ガラスを、ガラス転移点より低い温度に加熱し、次いで、急冷することによって、熱的に強化されることがある。
【０１０９】
１つ以上の実施の形態において、前記ガラス物品は、イオン交換により化学強化されることがある。イオン交換過程において、ガラス物品の表面またはその近くにあるイオンは、同じ価数または酸化状態を有するより大きいイオンにより置換される−すなわち、交換される。ガラス物品がアルカリアルミノケイ酸塩ガラスから作られている実施の形態において、その物品の表面層中のイオンおよびより大きいイオンは、Ｌｉ＋、Ｋａ＋、Ｋ＋、Ｒｂ＋、およびＣｓ＋などの一価のアルカリ金属陽イオンである。あるいは、表面層中の一価陽イオンは、Ａｇ＋などの、アルカリ金属陽イオン以外の一価陽イオンにより置換されてもよい。そのような実施の形態において、ガラス物品中へと交換される一価イオン（または陽イオン）により、応力が生じる。
【０１１０】
イオン交換過程は、一般に、ガラス物品中のより小さいイオンにより交換されるべきより大きいイオンを含有する溶融塩浴（または２つ以上の溶融塩浴）中にガラス物品を浸漬することによって行われる。水性塩浴を利用してもよいことに留意すべきである。その上、その浴の組成は、複数のタイプのより大きいイオン（例えば、Ｎａ＋およびＫ＋）または１種類のより大きいイオンを含んでもよい。以下に限られないが、浴の組成と温度、浸漬時間、１種類の塩浴（複数の塩浴）中のガラス物品の浸漬回数、多数の塩浴の使用、徐冷、洗浄などの追加の工程を含む、イオン交換過程のパラメータが、ガラス物品（物品の構造および存在するいずれの結晶相も含む）の組成、および強化により生じるガラス物品の所望のＤＯＣとＣＳによって一般に決まることが当業者に認識されるであろう。例示の溶融浴の組成は、より大きいアルカリ金属イオンの硝酸塩、硫酸塩、塩化物を含むことがある。典型的な硝酸塩としては、ＫＮＯ３、ＮａＮＯ３、ＬｉＮＯ３、ＮａＳＯ４およびその組合せが挙げられる。溶融塩浴の温度は、一般に、約３８０℃から約４５０℃までの範囲にあり、一方で、浸漬時間は、ガラス物品の厚さ、浴の温度およびガラス（または一価イオン）の拡散性に応じて、約１５分から約１００時間に及ぶ。しかしながら、先に記載されたものと異なる温度および浸漬時間も使用してよい。
【０１１１】
１つ以上の実施の形態において、前記ガラス物品は、約３７０℃から約４８０℃の範囲の温度を有する、１００％のＮａＮＯ３、１００％のＫＮＯ３、またはＮａＮＯ３とＫＮＯ３の組合せの溶融塩浴中に浸漬されることがある。
【０１１２】
いくつかの実施の形態において、そのガラス物品は、約５％から約９０％のＫＮＯ３および約１０％から約９５％のＮａＮＯ３を含む溶融混合塩浴中に浸漬されることがある。１つ以上の実施の形態において、そのガラス物品は、第１の浴中に浸漬された後、第２の浴中に浸漬されることがある。その第１と第２の浴は、互いに異なる組成および／または温度を有することがある。第１と第２の浴中の浸漬時間は様々であってよい。例えば、第１の浴中の浸漬は、第２の浴中に浸漬より長いことがある。
【０１１３】
１つ以上の実施の形態において、前記ガラス物品は、約５時間未満、またさらには約４時間以下に亘り、約４２０℃未満の温度（例えば、約４００℃または約３８０℃）を有する、ＮａＮＯ３とＫＮＯ３（例えば、４９％／５１％、５０％／５０％、５１％／４９％）を含む溶融混合塩浴中に浸漬されることがある。
【０１１４】
イオン交換条件は、結果として得られるガラス物品の表面またはその近くの応力プロファイルの勾配を増加させるために、または「スパイク」を与えるために、調整することができる。そのスパイクにより、より大きい表面ＣＳ値が得られるであろう。このスパイクは、１つの浴または複数の浴により達成することができ、その浴は、ここに記載されたガラス物品に使用されるガラス組成物の特異的性質のために、１つの組成または混合組成を有する。
【０１１５】
ガラス物品中に複数の一価イオンが交換される、１つ以上の実施の形態において、異なる一価イオンが、ガラス物品内の異なる深さまで交換され（異なる深さでガラス物品内に異なる大きさの応力が生じ）ることがある。その応力生成イオンの結果として生じる相対的な深さは、決定することができ、それにより、応力プロファイルの異なる特徴が生じる。
【０１１６】
表面ＣＳは、有限会社折原製作所（日本国）により製造されているＦＳＭ−６０００などの市販の計器を使用して、表面応力計（ＦＳＭ）などにより、当該技術分野で公知の手段を用いて測定される。表面応力測定は、ガラスの複屈折に関連する、応力光学係数（ＳＯＣ）の精密測定に依存する。次に、ＳＯＣは、その内容がここに全て引用される、「Standard Test Method for Measurement of Glass Stress-Optical Coefficient」と題する、ＡＳＴＭ基準Ｃ７７０−９８（２０１３年）に両方とも記載されている、ファイバおよび４点曲げ法、並びにバルクシリンダ法などの、当該技術分野で公知の方法によって測定される。ここに用いられているように、ＣＳは、圧縮応力層内で測定される最高の圧縮応力値である、「最大圧縮応力」であることがある。いくつかの実施の形態において、その最大圧縮応力は、ガラス物品の表面に位置している。他の実施の形態において、最大圧縮応力は、表面より下の深さに生じることがあり、その圧縮プロファイルに「埋め込まれたピーク」の見掛けが与えられる。
【０１１７】
ＤＯＣは、強化方法および条件に応じて、ＦＳＭにより、または散乱光偏光器（ＳＣＡＬＰ）（エストニア国、タリン所在のＧｌａｓｓｔｒｅｓｓ  Ｌｔｄ．から入手できるＳＣＡＬＰ−０４散乱光偏光器など）により測定することができる。ガラス物品がイオン交換処理によって化学強化されている場合、ガラス物品中にどのイオンが交換されているかに応じて、ＦＳＭまたはＳＣＡＬＰが使用される。ガラス物品中の応力が、ガラス物品中へのカリウムイオンの交換により生じている場合、ＤＯＣを測定するために、ＦＳＭが使用される。応力が、ガラス物品中へのナトリウムイオンの交換により生じている場合、ＤＯＣを測定するために、ＳＣＡＬＰが使用される。ガラス物品中の応力が、ガラス中にカリウムイオンとナトリウムイオンの両方を交換することによって生じる場合、ＤＯＣはＳＣＡＬＰにより測定される。何故ならば、ナトリウムイオンの交換深さはＤＯＣを表し、カリウムイオンの交換深さは、圧縮応力の大きさの変化（圧縮から引張への応力の変化ではない）を表すと考えられるからである；そのようなガラス物品におけるカリウムイオンの交換深さは、ＦＳＭにより測定される。
【０１１８】
１つ以上の実施の形態において、前記ガラス物品は、ガラス物品の厚さｔ（ここに記載されているような）の一部として記載されるＤＯＣを示すように強化されることがある。例えば、１つ以上の実施の形態において、ＤＯＣは、約０．０３ｔ以上、約０．０５ｔ以上、約０．０６ｔ以上、約０．１ｔ以上、約０．１１ｔ以上、約０．１２ｔ以上、約０．１３ｔ以上、約０．１４ｔ以上、約０．１５ｔ以上、約０．１６ｔ以上、約０．１７ｔ以上、約０．１８ｔ以上、約０．１９ｔ以上、約０．２ｔ以上、約０．２１ｔ以上であることがある。いくつかの実施の形態において、ＤＯＣは、約０．０３ｔから約０．２５ｔ、約０．０４ｔから約０．２５ｔ、約０．０５ｔから約０．２５ｔ、約０．０６ｔから約０．２５ｔ、約０．０７ｔから約０．２５ｔ、約０．０８ｔから約０．２５ｔ、約０．０９ｔから約０．２５ｔ、約０．１８ｔから約０．２５ｔ、約０．１１ｔから約０．２５ｔ、約０．１２ｔから約０．２５ｔ、約０．１３ｔから約０．２５ｔ、約０．１４ｔから約０．２５ｔ、約０．１５ｔから約０．２５ｔ、約０．０３ｔから約０．２４ｔ、約０．０３ｔから約０．２３ｔ、約０．０３ｔから約０．２２ｔ、約０．０３ｔから約０．２１ｔ、約０．０３ｔから約０．２ｔ、約０．０３ｔから約０．１９ｔ、約０．０３ｔから約０．１８ｔ、約０．０３ｔから約０．１７ｔ、約０．０３ｔから約０．１６ｔ、または約０．０３ｔから約０．１５ｔの範囲にあることがある。ある場合には、ＤＯＣは約２０μｍ以下であることがある。１つ以上の実施の形態において、ＤＯＣは、約３５μｍ以上（例えば、約４０μｍから約３００μｍ、約５０μｍから約３００μｍ、約６０μｍから約３００μｍ、約７０μｍから約３００μｍ、約８０μｍから約３００μｍ、約９０μｍから約３００μｍ、約１００μｍから約３００μｍ、約１１０μｍから約３００μｍ、約１２０μｍから約３００μｍ、約１４０μｍから約３００μｍ、約１５０μｍから約３００μｍ、約４０μｍから約２９０μｍ、約４０μｍから約２８０μｍ、約４０μｍから約２６０μｍ、約４０μｍから約２５０μｍ、約４０μｍから約２４０μｍ、約４０μｍから約２３０μｍ、約４０μｍから約２２０μｍ、約４０μｍから約２１０μｍ、約４０μｍから約２００μｍ、約４０μｍから約１８０μｍ、約４０μｍから約１６０μｍ、約４０μｍから約１５０μｍ、約４０μｍから約１４０μｍ、約４０μｍから約１３０μｍ、約４０μｍから約１２０μｍ、約４０μｍから約１１０μｍ、または約４０μｍから約１００μｍ）であることがある。
【０１１９】
１つ以上の実施の形態において、前記強化ガラス物品は、約２００ＭＰａ以上、３００ＭＰａ以上、４００ＭＰａ以上、約５００ＭＰａ以上、約６００ＭＰａ以上、約７００ＭＰａ以上、約８００ＭＰａ以上、約９００ＭＰａ以上、約９３０ＭＰａ以上、約１０００ＭＰａ以上、または約１０５０ＭＰａ以上のＣＳ（ガラス物品の表面またはその中の深さに見られるであろう）を有することがある。
【０１２０】
１つ以上の実施の形態において、前記強化ガラス物品は、約２０ＭＰａ以上、約３０ＭＰａ以上、約４０ＭＰａ以上、約４５ＭＰａ以上、約５０ＭＰａ以上、約６０ＭＰａ以上、約７０ＭＰａ以上、約７５ＭＰａ以上、約８０ＭＰａ以上、または約８５ＭＰａ以上の最大ＣＴを有することがある。いくつかの実施の形態において、最大ＣＴは、約４０ＭＰａから約１００ＭＰａの範囲内にあることがある。
【０１２１】
１つ以上の特定の実施の形態において、前記ガラス物品（約１ｍｍ以下の厚さを有する）は、約６５０ＭＰａから約８５０ＭＰａの範囲の表面ＣＳおよび約３５マイクロメートルから約６５マイクロメートルの範囲の対応するＤＯＣを示す。そのような実施の形態において、その強度レベル（表面ＣＳおよびＤＯＣに関する）は、約８時間未満、約６時間以下、または約４時間以下に亘り、１００％のＫＮＯ３の溶融塩浴中に浸漬された後のガラス物品により示される。その温度は、約３８０℃から約４２０℃の範囲にあることがある。
【０１２２】
本開示の別の態様は、ここに記載されたようなガラス物品を含む積層板に関する。１つ以上の実施の形態において、積層板２００は、図４に示されるように、１つ以上の実施の形態によるガラス物品を含む第１のガラス層２１０、およびその第１のガラス層上に配置された中間層２２０を備える。図５に示されるように、積層板３００は、第１のガラス層３１０、その第１のガラス層上に配置された中間層３２０、および第１のガラス層３１０と反対の中間層３２０上に配置された第２のガラス層３３０を備えることがある。その積層板に使用される第１のガラス層および第２のガラス層のいずれか一方または両方は、ここに記載されたガラス物品を含み得る。図５に示されるように、中間層３２０は、第１と第２のガラス層の間に配置されている。
【０１２３】
１つ以上の実施の形態において、積層板３００は、ここに記載されたようなガラス物品を含む第１のガラス層、およびここに記載されたようなガラス物品と異なる組成を有する第２のガラス層を備えることがある。例えば、その第２のガラス層は、ソーダ石灰ガラス、アルカリアルミノケイ酸塩ガラス、アルカリ含有ホウケイ酸ガラス、アルカリアルミノリンケイ酸塩ガラス、またはアルカリアルミノホウケイ酸塩ガラスを含むことがある。いくつかの実施の形態において、第１と第２のガラス層の両方は、ここに記載されたガラス物品を構成し、これらは、互いに同じであっても異なってもよい。
【０１２４】
１つ以上の実施の形態において、前記第１のガラス層および第２のガラス層のいずれか一方または両方は、１．６ｍｍ未満（例えば、１．５５ｍｍ以下、１．５ｍｍ以下、１．４５ｍｍ以下、１．４ｍｍ以下、１．３５ｍｍ以下、１．３ｍｍ以下、１．２５ｍｍ以下、１．２ｍｍ以下、１．１５ｍｍ以下、１．１ｍｍ以下、１．０５ｍｍ以下、１ｍｍ以下、０．９５ｍｍ以下、０．９ｍｍ以下、０．８５ｍｍ以下、０．８ｍｍ以下、０．７５ｍｍ以下、０．７ｍｍ以下、０．６５ｍｍ以下、０．６ｍｍ以下、０．５５ｍｍ以下、０．５ｍｍ以下、０．４５ｍｍ以下、０．４ｍｍ以下、０．３５ｍｍ以下、０．３ｍｍ以下、０．２５ｍｍ以下、０．２ｍｍ以下、０．１５ｍｍ以下、または０．１ｍｍ以下）の厚さを有する。厚さの下限は、０．１ｍｍ、０．２ｍｍ、または０．３ｍｍであることがある。いくつかの実施の形態において、その第１のガラス層および第２のガラス層のいずれか一方または両方の厚さは、約０．１ｍｍから約１．６ｍｍ未満、約０．１ｍｍから約１．５ｍｍ、約０．１ｍｍから約１．４ｍｍ、約０．１ｍｍから約１．３ｍｍ、約０．１ｍｍから約１．２ｍｍ、約０．１ｍｍから約１．１ｍｍ、約０．１ｍｍから約１ｍｍ、約０．１ｍｍから約０．９ｍｍ、約０．１ｍｍから約０．８ｍｍ、約０．１ｍｍから約０．７ｍｍ、約０．１ｍｍから、約０．２ｍｍから約１．６ｍｍ未満、約０．３ｍｍから約１．６ｍｍ未満、約０．４ｍｍから約未満ｍｍ、約０．５ｍｍから約１．６未満ｍｍ、約０．６ｍｍから約１．６ｍｍ未満、約０．７ｍｍから約１．６ｍｍ未満、約０．８ｍｍから約１．６ｍｍ未満、約０．９ｍｍから約１．６ｍｍ未満、約１ｍｍから約１．６ｍｍ、約０．４ｍｍから約１．２ｍｍ、約０．５ｍｍから約１．２ｍｍ、約０．７ｍｍから約１．２ｍｍ、約０．４ｍｍから約１ｍｍ、約０．５ｍｍから約１ｍｍ、または約０．７ｍｍから約１ｍｍの範囲にある。いくつかの実施の形態において、その第１のガラス層および第２のガラス層は、互いと実質的に同じ厚さを有する。
【０１２５】
いくつかの実施の形態において、前記第１と第２のガラス層の一方は、約１．６ｍｍ未満の厚さを有するのに対し、その第１と第２のガラス層の他方は、約１ｍｍ以上、または約１．６ｍｍ以上の厚さを有する。１つ以上の実施の形態において、その第１と第２のガラス層は、互いに異なる厚さを有する。例えば、その第１と第２のガラス層の一方は、約１．６ｍｍ未満の厚さを有するのに対し、その第１と第２のガラス層の他方は、約１．７ｍｍ以上、約１．７５ｍｍ以上、約１．８ｍｍ以上、約１．７ｍｍ以上、約１．７ｍｍ以上、約１．７ｍｍ以上、約１．８５ｍｍ以上、約１．９ｍｍ以上、約１．９５ｍｍ以上、約２ｍｍ以上、約２．１ｍｍ以上、約２．２ｍｍ以上、約２．３ｍｍ以上、約２．４ｍｍ以上、２．５ｍｍ以上、２．６ｍｍ以上、２．７ｍｍ以上、２．８ｍｍ以上、２．９ｍｍ以上、３ｍｍ以上、３．２ｍｍ以上、３．４ｍｍ以上、３．５ｍｍ以上、３．６ｍｍ以上、３．８ｍｍ以上、４ｍｍ以上、４．２ｍｍ以上、４．４ｍｍ以上、４．６ｍｍ以上、４．８ｍｍ以上、５ｍｍ以上、５．２ｍｍ以上、５．４ｍｍ以上、５．６ｍｍ以上、５．８ｍｍ以上、または６ｍｍ以上の厚さを有する。いくつかの実施の形態において、第１および／または第２のガラス層は、約１．６ｍｍから約６ｍｍ、約１．７ｍｍから約６ｍｍ、約１．８ｍｍから約６ｍｍ、約１．９ｍｍから約６ｍｍ、約２ｍｍから約６ｍｍ、約２．１ｍｍから約６ｍｍ、約２．２ｍｍから約６ｍｍ、約２．３ｍｍから約６ｍｍ、約２．４ｍｍから約６ｍｍ、約２．５ｍｍから約６ｍｍ、約２．６ｍｍから約６ｍｍ、約２．８ｍｍから約６ｍｍ、約３ｍｍから約６ｍｍ、約３．２ｍｍから約６ｍｍ、約３．４ｍｍから約６ｍｍ、約３．６ｍｍから約６ｍｍ、約３．８ｍｍから約６ｍｍ、約４ｍｍから約６ｍｍ、約１．６ｍｍから約５．８ｍｍ、約１．６ｍｍから約５．６ｍｍ、約１．６ｍｍから約５．５ｍｍ、約１．６ｍｍから約５．４ｍｍ、約１．６ｍｍから約５．２ｍｍ、約１．６ｍｍから約５ｍｍ、約１．６ｍｍから約４．８ｍｍ、約１．６ｍｍから約４．６ｍｍ、約１．６ｍｍから約４．４ｍｍ、約１．６ｍｍから約４．２ｍｍ、約１．６ｍｍから約４ｍｍ、約３．８ｍｍから約５．８ｍｍ、約１．６ｍｍから約３．６ｍｍ、約１．６ｍｍから約３．４ｍｍ、約１．６ｍｍから約３．２ｍｍ、または約１．６ｍｍから約３ｍｍの範囲の厚さを有する。
【０１２６】
１つ以上の実施の形態において、前記第１のガラス層は、前記第２のガラス層と比べて比較的薄い。言い換えると、その第２のガラス層は、第１のガラス層より大きい厚さを有する。１つ以上の実施の形態において、その第２のガラス層は、第１のガラス層の厚さの２倍より大きい厚さを有することがある。１つ以上の実施の形態において、第２のガラス層は、第１のガラス層の厚さの約１．５倍から約２．５倍の範囲の厚さを有することがある。
【０１２７】
１つ以上の実施の形態において、前記第１のガラス層および前記第２のガラス層は、同じ厚さを有することがある；しかしながら、第２のガラス層は、第１のガラス層よりも剛性であるか、またはそれより大きい剛性を有し、非常に特別な実施の形態において、第１のガラス層と第２のガラス層の両方とも、０．２ｍｍと１．６ｍｍの間の範囲の厚さを有する。
【０１２８】
１つ以上の実施の形態において、積層板２００、３００の厚さは、６．８５ｍｍ以下、または５．８５ｍｍ以下であることがあり、その厚さは、第１のガラス層、第２のガラス層、中間層および任意の他の層の厚さの合計である。様々な実施の形態において、その積層板の厚さは、約１．８ｍｍから約６．８５ｍｍの範囲、または約１．８ｍｍから約５．８５ｍｍの範囲、または約１．８ｍｍから約５．０ｍｍの範囲、または２．１ｍｍから約６．８５ｍｍ、または約２．１ｍｍから約５．８５ｍｍの範囲、または約２．１ｍｍから約５．０ｍｍの範囲、または約２．４ｍｍから約６．８５ｍｍの範囲、または約２．４ｍｍから約５．８５ｍｍの範囲、または約２．４ｍｍから約５．０ｍｍの範囲、または約３．４ｍｍから約６．８５ｍｍの範囲、または約３．４ｍｍから約５．８５ｍｍの範囲、または約３．４ｍｍから約５．０ｍｍの範囲にあることがある。
【０１２９】
１つ以上の実施の形態において、積層板４００は、１０００ｍｍ未満、または７５０ｍｍ未満、または５００ｍｍ未満、または３００ｍｍ未満の少なくとも１つの曲率半径を示す。１つ以上の実施の形態において、その積層板３００は、少なくとも１つの軸に沿って約１０ｍ以下、または約５ｍ以下の少なくとも１つの曲率半径を示す。１つ以上の実施の形態において、その積層板４００は、少なくとも第１の軸に沿って、かつその第１の軸に垂直な第２の軸に沿って５ｍ以下の曲率半径を有することがある。１つ以上の実施の形態において、その積層板は、少なくとも第１の軸に沿って、かつその第１の軸に垂直ではない第２の軸に沿って５ｍ以下の曲率半径を有することがある。
【０１３０】
１つ以上の実施の形態において、第１のガラス層は第１の垂下温度を有し、第２のガラス層は第２の垂下温度を有し、その第１の垂下温度と第２の垂下温度との間の差は、約１００℃以下、約９０℃以下、約８０℃以下、約７５℃以下、約７０℃以下、約６０℃以下、約５０℃以下、約４０℃以下、約３０℃以下、約２０℃以下、または約１０℃以下である。
【０１３１】
１つ以上の実施の形態において、第１または第２のガラス層は、ここに記載されたような、強化されているガラス物品を利用することがある。１つ以上の実施の形態において、第１のガラス層は、ここに記載された実施の形態による強化ガラス物品から作られ、一方で、第２のガラス層は強化されていない。１つ以上の実施の形態において、第１のガラス層は、ここに記載された実施の形態による強化ガラス物品から作られ、一方で、第２のガラス層は徐冷されている。１つ以上の実施の形態において、第１のガラス層は、化学的、機械的および／または熱的に強化されており、一方で、第２のガラス層は、第１のガラス層と異なる方法で強化されている（化学的、機械的および／または熱的に）。１つ以上の実施の形態において、第１のガラス層は、化学的、機械的および／または熱的に強化されており、一方で、第２のガラス層は、第１のガラス層と同じ方法で強化されている（化学的、機械的および／または熱的に）。
【０１３２】
１つ以上の実施の形態において、ここに使用される中間層（例えば、３２０）は、単層または多層を含むことがある。その中間層（またはその内の層）は、ポリビニルブチラール（ＰＶＢ）、音響用ＰＶＢ（ＡＰＶＢ）、イオノマー、エチレン酢酸ビニル（ＥＶＡ）、および熱可塑性ポリウレタン（ＴＰＵ）、ポリエステル（ＰＥ）、ポリエチレンテレフタレート（ＰＥＴ）などの高分子から形成されることがある。その中間層の厚さは、約０．５ｍｍから約２．５ｍｍ、約０．８ｍｍから約２．５ｍｍ、約１ｍｍから約２．５ｍｍ、または約１．５ｍｍから約２．５ｍｍの範囲にあることがある。
【０１３３】
本開示の別の態様は、図６に示されたような、第１の湾曲ガラス層４１０、第２の湾曲ガラス層４２０、およびその第１の湾曲ガラス層と第２の湾曲ガラス層との間に配置された中間層４３０を備えた積層板４００に関する。１つ以上の実施の形態において、第１の湾曲ガラス層４１０は、第１の主面４１２、その第１の主面と反対の第２の主面４１４、その第１の主面と第２の主面との間の距離として規定される第１の厚さ４１６、および第１の垂下深さ４１８を有する。１つ以上の実施の形態において、第２の湾曲ガラス層４２０は、第３の主面４２２、その第３の主面と反対の第４の主面４２４、その第３の主面と第４の主面との間の距離として規定される第２の厚さ４２６、および第２の垂下深さ４２８を有する。図６の積層板４００の向きは、凸面として第２の主面４１４を、凹面として第３の主面４２２を示している。１つ以上の実施の形態において、その第１の湾曲ガラス層の位置は、逆であっても差し支えない。１つ以上の実施の形態において、その第１の湾曲ガラス層は第１の粘度を示し、その第２の湾曲ガラス層は、所定の温度で第１の粘度と異なる第２の粘度を示す。１つ以上の実施の形態において、その第１の湾曲ガラス層は、ここに記載されたガラス組成物の１つ以上の実施の形態から形成されている。その第１の粘度と第２の粘度が測定される温度は、約５９０℃から約６５０℃（または約６３０℃）であることがある。いくつかの実施の形態において、その第１の粘度は、６３０℃の温度で、第１の粘度の約２倍以上、約３倍以上、約４倍以上、約５倍以上、約６倍以上、約７倍以上、約８倍以上、約９倍以上、または約１０倍以上である。
【０１３４】
１つ以上の実施の形態において、６００℃で、第１の粘度は、約２×１０１１ポアズから約１×１０１５ポアズ、約４×１０１１ポアズから約１×１０１５ポアズ、約５×１０１１ポアズから約１×１０１５ポアズ、約６×１０１１ポアズから約１×１０１５ポアズ、約８×１０１１ポアズから約１×１０１５ポアズ、約１×１０１２ポアズから約１×１０１５ポアズ、約２×１０１２ポアズから約１×１０１５ポアズ、約４×１０１２ポアズから約１×１０１５ポアズ、約５×１０１２ポアズから約１×１０１５ポアズ、約６×１０１２ポアズから約１×１０１５ポアズ、約８×１０１２ポアズから約１×１０１５ポアズ、約１×１０１３ポアズから約１×１０１５ポアズ、約２×１０１３ポアズから約１×１０１５ポアズ、約４×１０１３ポアズから約１×１０１５ポアズ、約５×１０１３ポアズから約１×１０１５ポアズ、約６×１０１３ポアズから約１×１０１５ポアズ、約８×１０１３ポアズから約１×１０１５ポアズ、約１×１０１４ポアズから約１×１０１５ポアズ、約２×１０１１ポアズから約８×１０１４ポアズ、約２×１０１１ポアズから約６×１０１４ポアズ、約２×１０１１ポアズから約５×１０１４ポアズ、約２×１０１１ポアズから約４×１０１４ポアズ、約２×１０１１ポアズから約２×１０１４ポアズ、約２×１０１１ポアズから約１×１０１４ポアズ、約２×１０１１ポアズから約８×１０１３ポアズ、約２×１０１１ポアズから約６×１０１３ポアズ、約２×１０１１ポアズから約５×１０１３ポアズ、約２×１０１１ポアズから約４×１０１３ポアズ、約２×１０１１ポアズから約２×１０１３ポアズ、約２×１０１１ポアズから約１×１０１３ポアズ、約２×１０１１ポアズから約８×１０１２ポアズ、約２×１０１１ポアズから約６×１０１２ポアズ、または約２×１０１１ポアズから約５×１０１２ポアズの範囲にある。
【０１３５】
１つ以上の実施の形態において、６３０℃で、第１の粘度は、約２×１０１０ポアズから約１×１０１３ポアズ、約４×１０１０ポアズから約１×１０１３ポアズ、約５×１０１０ポアズから約１×１０１３ポアズ、約６×１０１０ポアズから約１×１０１３ポアズ、約８×１０１０ポアズから約１×１０１３ポアズ、約１×１０１１ポアズから約１×１０１３ポアズ、約２×１０１１ポアズから約１×１０１３ポアズ、約４×１０１１ポアズから約１×１０１３ポアズ、約５×１０１１ポアズから約１×１０１３ポアズ、約６×１０１１ポアズから約１×１０１３ポアズ、約８×１０１１ポアズから約１×１０１３ポアズ、約１×１０１２ポアズから約１×１０１３ポアズ、約２×１０１０ポアズから約８×１０１２ポアズ、約２×１０１０ポアズから約６×１０１２ポアズ、約２×１０１０ポアズから約５×１０１２ポアズ、約２×１０１０ポアズから約４×１０１２ポアズ、約２×１０１０ポアズから約２×１０１２ポアズ、約２×１０１０ポアズから約１×１０１２ポアズ、約２×１０１０ポアズから約８×１０１１ポアズ、約２×１０１０ポアズから約６×１０１１ポアズ、約２×１０１０ポアズから約５×１０１１ポアズ、約２×１０１０ポアズから約４×１０１１ポアズ、または約２×１０１０ポアズから約２×１０１１ポアズの範囲にある。
【０１３６】
１つ以上の実施の形態において、６５０℃で、第１の粘度は、約１×１０１０ポアズから約１×１０１３ポアズ、約２×１０１０ポアズから約１×１０１３ポアズ、約４×１０１０ポアズから約１×１０１３ポアズ、約５×１０１０ポアズから約１×１０１３ポアズ、約６×１０１０ポアズから約１×１０１３ポアズ、約８×１０１０ポアズから約１×１０１３ポアズ、約１×１０１１ポアズから約１×１０１３ポアズ、約２×１０１１ポアズから約１×１０１３ポアズ、約４×１０１１ポアズから約１×１０１３ポアズ、約４×１０１１ポアズから約１×１０１３ポアズ、約５×１０１１ポアズから約１×１０１３ポアズ、約６×１０１１ポアズから約１×１０１３ポアズ、約８×１０１１ポアズから約１×１０１３ポアズ、約１×１０１２ポアズから約１×１０１３ポアズ、約１×１０１０ポアズから約８×１０１２ポアズ、約１×１０１０ポアズから約６×１０１２ポアズ、約１×１０１０ポアズから約５×１０１２ポアズ、約１×１０１０ポアズから約４×１０１２ポアズ、約１×１０１０ポアズから約２×１０１２ポアズ、約１×１０１０ポアズから約１×１０１２ポアズ、約１×１０１０ポアズから約８×１０１１ポアズ、約１×１０１０ポアズから約６×１０１１ポアズ、約１×１０１０ポアズから約５×１０１１ポアズ、約１×１０１０ポアズから約４×１０１１ポアズ、約１×１０１０ポアズから約２×１０１１ポアズ、または約１×１０１０ポアズから約１×１０１１ポアズの範囲にある。
【０１３７】
１つ以上の実施の形態において、６００℃で、第２の粘度は、約３×１０１０ポアズから約８×１０１０ポアズ、約４×１０１０ポアズから約８×１０１０ポアズ、約５×１０１０ポアズから約８×１０１０ポアズ、約６×１０１０ポアズから約８×１０１０ポアズ、約３×１０１０ポアズから約７×１０１０ポアズ、約３×１０１０ポアズから約６×１０１０ポアズ、約３×１０１０ポアズから約５×１０１０ポアズ、または約４×１０１０ポアズから約６×１０１０ポアズの範囲にある。
【０１３８】
１つ以上の実施の形態において、６３０℃で、第２の粘度は、約１×１０９ポアズから約１×１０１０ポアズ、約２×１０９ポアズから約１×１０１０ポアズ、約３×１０９ポアズから約１×１０１０ポアズ、約４×１０９ポアズから約１×１０１０ポアズ、約５×１０９ポアズから約１×１０１０ポアズ、約６×１０９ポアズから約１×１０１０ポアズ、約１×１０９ポアズから約９×１０９ポアズ、約１×１０９ポアズから約８×１０９ポアズ、約１×１０９ポアズから約７×１０９ポアズ、約１×１０９ポアズから約６×１０９ポアズ、約４×１０９ポアズから約８×１０９ポアズ、または約５×１０９ポアズから約７×１０９ポアズの範囲にある。
【０１３９】
１つ以上の実施の形態において、６５０℃で、第２の粘度は、約５×１０８ポアズから約５×１０９ポアズ、約６×１０８ポアズから約５×１０９ポアズ、約７×１０８ポアズから約５×１０９ポアズ、約８×１０８ポアズから約５×１０９ポアズ、約９×１０８ポアズから約５×１０９ポアズ、約１×１０９ポアズから約５×１０９ポアズ、約１×１０９ポアズから約４×１０９ポアズ、約１×１０９ポアズから約３×１０９ポアズ、約５×１０８ポアズから約４×１０９ポアズ、約５×１０８ポアズから約３×１０９ポアズ、約５×１０８ポアズから約２×１０９ポアズ、約５×１０８ポアズから約１×１０９ポアズ、約５×１０８ポアズから約９×１０８ポアズ、約５×１０８ポアズから約８×１０８ポアズ、または約５×１０８ポアズから約７×１０８ポアズの範囲にある。
【０１４０】
１つ以上の実施の形態において、第１の垂下深さ４１８および第２の垂下深さ４２８の一方または両方は、約２ｍｍ以上である。例えば、第１の垂下深さ４１８および第２の垂下深さ４２８の一方または両方は、約２ｍｍから約３０ｍｍ、約４ｍｍから約３０ｍｍ、約５ｍｍから約３０ｍｍ、約６ｍｍから約３０ｍｍ、約８ｍｍから約３０ｍｍ、約１０ｍｍから約３０ｍｍ、約１２ｍｍから約３０ｍｍ、約１４ｍｍから約３０ｍｍ、約１５ｍｍから約３０ｍｍ、約２ｍｍから約２８ｍｍ、約２ｍｍから約２６ｍｍ、約２ｍｍから約２５ｍｍ、約２ｍｍから約２４ｍｍ、約２ｍｍから約２２ｍｍ、約２ｍｍから約２０ｍｍ、約２ｍｍから約１８ｍｍ、約２ｍｍから約１６ｍｍ、約２ｍｍから約１５ｍｍ、約２ｍｍから約１４ｍｍ、約２ｍｍから約１２ｍｍ、約２ｍｍから約１０ｍｍ、約２ｍｍから約８ｍｍ、約６ｍｍから約２０ｍｍ、約８ｍｍから約１８ｍｍ、約１０ｍｍから約１５ｍｍ、約１２ｍｍから約２２ｍｍ、約１５ｍｍから約２５ｍｍ、または約１８ｍｍから約２２ｍｍの範囲にあることがある。
【０１４１】
１つ以上の実施の形態において、第１の垂下深さ４１８および第２の垂下深さ４２８は、互いに実質的に等しい。１つ以上の実施の形態において、その第１の垂下深さはその第２の垂下深さの１０％以内にある。例えば、その第１の垂下深さは、その第２の垂下深さの９％以内、８％以内、７％以内、６％以内、または５％以内にある。説明のために、第２の垂下深さは約１５ｍｍであり、第１の垂下深さは約１４．５ｍｍから約１６．５ｍｍの範囲（すなわち第２の垂下深さの１０％以内）にある。
【０１４２】
１つ以上の実施の形態において、前記第１の湾曲ガラス層および前記第２の湾曲ガラス層は、独国、ブラウンシュワイク所在のＧＯＭ  ＧｍｂＨにより供給されるＡＴＯＳ  Ｔｒｉｐｌｅ  Ｓｃａｎなどの光学式三次元スキャナによって測定して、±５ｍｍ以下の形状偏差を間に有する。１つ以上の実施の形態において、その形状偏差は、第２の主面４１４と第３の主面４２２との間、または第１の主面４１２と第４の主面４２４との間で測定される。１つ以上の実施の形態において、その第１のガラス層と第２のガラス層との間の形状偏差は、約±４ｍｍ以下、約±３ｍｍ以下、約±２ｍｍ以下、約±１ｍｍ以下、約±０．８ｍｍ以下、約±０．６ｍｍ以下、約±０．５ｍｍ以下、約±０．４ｍｍ以下、約±０．３ｍｍ以下、約±０．２ｍｍ以下、または約±０．１ｍｍ以下である。ここに用いられているように、形状偏差は、それぞれの表面で測定された最大形状偏差を称する。
【０１４３】
１つ以上の実施の形態において、第１の主面４１２および第４の主面４２４の一方または両方は、最小の光学的歪みを示す。例えば、第１の主面４１２および第４の主面４２４の一方または両方は、ＡＳＴＭ１５６１にしたがう透過光学素子を使用した光学的歪み検出器で測定して、約４００ミリジオプター未満、約３００ミリジオプター未満、または約２５０ミリジオプター未満の光学的歪みを示す。適切な光学的歪み検出器は、商標名ＳＣＲＥＥＮＳＣＡＮ−Ｆａｕｌｔｆｉｎｄｅｒで、独国、ダルムシュタット所在のＩＳＲＡ  ＶＩＳＩＯＮ  ＡＧにより供給される。１つ以上の実施の形態において、第１の主面４１２および第４の主面４２４の一方または両方は、約１９０ミリジオプター以下、約１８０ミリジオプター以下、約１７０ミリジオプター以下、約１６０ミリジオプター以下、約１５０ミリジオプター以下、約１４０ミリジオプター以下、約１３０ミリジオプター以下、約１２０ミリジオプター以下、約１１０ミリジオプター以下、約１００ミリジオプター以下、約９０ミリジオプター以下、約８０ミリジオプター以下、約７０ミリジオプター以下、約６０ミリジオプター以下、または約５０ミリジオプター以下の光学的歪みを示す。ここに用いられているように、光学的歪みは、それぞれの表面上で測定した最大光学的歪みを称する。
【０１４４】
１つ以上の実施の形態において、前記第２の湾曲ガラス層の第３の主面または第４の主面は、低い膜引張応力を示す。膜引張応力は、湾曲された層および積層板の冷却中に生じ得る。ガラスが冷えるにつれて、主面およびエッジ面（主面に対して垂直）は表面圧縮を発生し得、これが、引張応力を示す中央領域によって相殺される。曲げまたは成形により、エッジ近くに追加の表面張力が導入され得、中央引張領域がガラス表面に近づく。したがって、膜引張応力は、エッジ近く（例えば、エッジ面から約１０〜２５ｍｍ）で測定される引張応力である。１つ以上の実施の形態において、その第２の湾曲ガラス層の第３の主面または第４の主面での膜引張応力は、ＡＳＴＭ  Ｃ１２７９にしたがって表面応力計で測定して、約７ＭＰａ未満である。そのような表面応力計の一例が、商標名ＧＡＳＰ（登録商標）（Ｇｒａｚｉｎｇ  Ａｎｇｌｅ  Ｓｕｒｆａｃｅ  Ｐｏｌａｒｉｍｅｔｅｒ）でＳｔｒａｉｎｏｐｔｉｃ  Ｔｅｃｈｎｏｌｏｇｉｅｓにより供給されている。１つ以上の実施の形態において、その第２の湾曲ガラス層の第３の主面または第４の主面での膜引張応力は、約６ＭＰａ以下、約５ＭＰａ以下、約４ＭＰａ以下、または約３ＭＰａ以下である。１つ以上の実施の形態において、膜引張応力の下限は、約０．０１ＭＰａまたは約０．１ＭＰａである。
【０１４５】
１つ以上の実施の形態において、前記第２の湾曲ガラス層の第３の主面または第４の主面での膜圧縮応力は、ＡＳＴＭ  Ｃ１２７９にしたがって表面応力計で測定して、約７ＭＰａ未満である。商標名「ＧＡＳＰ」（Ｇｒａｚｉｎｇ  Ａｎｇｌｅ  Ｓｕｒｆａｃｅ  Ｐｏｌａｒｉｍｅｔｅｒ）でＳｔｒａｉｎｏｐｔｉｃ  Ｔｅｃｈｎｏｌｏｇｉｅｓにより供給されている表面応力計などの表面応力計を使用してよい。１つ以上の実施の形態において、その第２の湾曲ガラス層の第３の主面または第４の主面での膜圧縮応力は、約６ＭＰａ以下、約５ＭＰａ以下、約４ＭＰａ以下、または約３ＭＰａ以下である。１つ以上の実施の形態において、膜圧縮応力の下限は、約０．０１ＭＰａまたは約０．１ＭＰａである。
【０１４６】
１つ以上の実施の形態において、積層板４００は、６．８５ｍｍ以下、または５．８５ｍｍ以下の厚さを有することがあり、ここで、その厚さは、第１の湾曲ガラス層、第２の湾曲ガラス層、中間層（および任意の他の層）の厚さの合計からなる。様々な実施の形態において、その積層板の厚さは、約１．８ｍｍから約６．８５ｍｍの範囲、または約１．８ｍｍから約５．８５ｍｍの範囲、または約１．８ｍｍから約５．０ｍｍの範囲、または約２．１ｍｍから約６．８５ｍｍの範囲、または約２．１ｍｍから約５．８５ｍｍの範囲、または約２．１ｍｍから約５．０ｍｍの範囲、または約２．４ｍｍから約６．８５ｍｍの範囲、または約２．４ｍｍから約５．８５ｍｍの範囲、または約２．４ｍｍから約５．０ｍｍの範囲、または約３．４ｍｍから約６．８５ｍｍの範囲、または約３．４ｍｍから約５．８５ｍｍの範囲、または約３．４ｍｍから約５．０ｍｍの範囲にあることがある。
【０１４７】
１つ以上の実施の形態において、積層板４００は、１０００ｍｍ未満、または７５０ｍｍ未満、または５００ｍｍ未満、または３００ｍｍ未満の少なくとも１つの曲率半径を示す。１つ以上の実施の形態において、積層板４００は、少なくとも１つの軸に沿って、約１０ｍ以下、または約５ｍ以下の少なくとも１つの曲率半径を示す。１つ以上の実施の形態において、積層板４００は、少なくとも第１の軸に沿って、かつその第１の軸に垂直な第２の軸に沿って５ｍ以下の曲率半径を有することがある。１つ以上の実施の形態において、その積層板は、少なくとも第１の軸に沿って、かつその第１の軸に垂直ではない第２の軸に沿って５ｍ以下の曲率半径を有することがある。
【０１４８】
１つ以上の実施の形態において、第１の湾曲ガラス層４１０は、第２の湾曲ガラス層４２０と比べて比較的薄い。言い換えると、その第２の湾曲ガラス層は、第１の湾曲ガラス層よりも大きい厚さを有する。１つ以上の実施の形態において、前記第２の厚さは、前記第１の厚さの２倍より大きい。１つ以上の実施の形態において、その第２の厚さは、第１の厚さの約１．５倍から約１０倍（例えば、約１．７５倍から約１０倍、約２倍から約１０倍、約２．２５倍から約１０倍、約２．５倍から約１０倍、約２．７５倍から約１０倍、約３倍から約１０倍、約３．２５倍から約１０倍、約３．５倍から約１０倍、約３．７５倍から約１０倍、約４倍から約１０倍、約１．５倍から約９倍、約１．５倍から約８倍、約１．５倍から約７．５倍、約１．５倍から約７倍、約１．５倍から約６．５倍、約１．５倍から約６倍、約１．５倍から約５．５倍、約１．５倍から約５倍、約１．５倍から約４．５倍、約１．５倍から約４倍、約１．５倍から約３．５倍、約２倍から約７倍、約２．５倍から約６倍、約３倍から約６倍）の範囲にある。
【０１４９】
１つ以上の実施の形態において、第１の湾曲ガラス層４１０および第２の湾曲ガラス層４２０は、同じ厚さを有することがある。１つ以上の特別な実施の形態において、その第２の湾曲ガラス層は、その第１の湾曲ガラス層よりも剛性であるか、またはそれより大きい剛性を有し、非常に特別な実施の形態において、その第１の湾曲ガラス層および第２の湾曲ガラス層の両方とも、０．２ｍｍから１．６ｍｍの範囲の厚さを有する。
【０１５０】
１つ以上の実施の形態において、第１の厚さ４１６および第２の厚さ４２６のいずれか一方または両方は、１．６ｍｍ未満（例えば、１．５５ｍｍ以下、１．５ｍｍ以下、１．４５ｍｍ以下、１．４ｍｍ以下、１．３５ｍｍ以下、１．３ｍｍ以下、１．２５ｍｍ以下、１．２ｍｍ以下、１．１５ｍｍ以下、１．１ｍｍ以下、１．０５ｍｍ以下、１ｍｍ以下、０．９５ｍｍ以下、０．９ｍｍ以下、０．８５ｍｍ以下、０．８ｍｍ以下、０．７５ｍｍ以下、０．７ｍｍ以下、０．６５ｍｍ以下、０．６ｍｍ以下、０．５５ｍｍ以下、０．５ｍｍ以下、０．４５ｍｍ以下、０．４ｍｍ以下、０．３５ｍｍ以下、０．３ｍｍ以下、０．２５ｍｍ以下、０．２ｍｍ以下、０．１５ｍｍ以下、または約０．１ｍｍ以下）である。厚さの下限は、０．１ｍｍ、０．２ｍｍまたは０．３ｍｍであることがある。いくつかの実施の形態において、その第１の厚さおよび第２の厚さのいずれか一方または両方は、約０．１ｍｍから約１．６ｍｍ、約０．１ｍｍから約１．５ｍｍ、約０．１ｍｍから約１．４ｍｍ、約０．１ｍｍから約１．３ｍｍ、約０．１ｍｍから約１．２ｍｍ、約０．１ｍｍから約１．１ｍｍ、約０．１ｍｍから約１ｍｍ、約０．１ｍｍから約０．９ｍｍ、約０．１ｍｍから約０．８ｍｍ、約０．１ｍｍから約０．７ｍｍ、約０．１ｍｍから、約０．２ｍｍから約１．６ｍｍ未満、約０．３ｍｍから約１．６ｍｍ未満、約０．４ｍｍから約１．６ｍｍ未満、約０．５ｍｍから約１．６ｍｍ未満、約０．６ｍｍから約１．６ｍｍ未満、約０．７ｍｍから約１．６ｍｍ未満、約０．８ｍｍから約１．６ｍｍ未満、約０．９ｍｍから約１．６ｍｍ未満、または約１ｍｍから約１．６ｍｍの範囲にある。
【０１５１】
いくつかの実施の形態において、第１の厚さ４１６および第２の厚さ４２６の一方が約１．６ｍｍ未満であるのに対し、その第１の厚さおよび第２の厚さの他方が約１．６ｍｍ以上である。そのような実施の形態において、第１の厚さおよび第２の厚さは互いに異なる。例えば、第１の厚さ４１６および第２の厚さ４２６の一方が約１．６ｍｍ未満であるのに対し、その第１の厚さおよび第２の厚さの他方が約１．７ｍｍ以上、約１．７５ｍｍ以上、約１．８ｍｍ以上、約１．７ｍｍ以上、約１．７ｍｍ以上、約１．７ｍｍ以上、約１．８５ｍｍ以上、約１．９ｍｍ以上、約１．９５ｍｍ以上、約２ｍｍ以上、約２．１ｍｍ以上、約２．２ｍｍ以上、約２．３ｍｍ以上、約２．４ｍｍ以上、２．５ｍｍ以上、２．６ｍｍ以上、２．７ｍｍ以上、２．８ｍｍ以上、２．９ｍｍ以上、３ｍｍ以上、３．２ｍｍ以上、３．４ｍｍ以上、３．５ｍｍ以上、３．６ｍｍ以上、３．８ｍｍ以上、４ｍｍ以上、４．２ｍｍ以上、４．４ｍｍ以上、４．６ｍｍ以上、４．８ｍｍ以上、５ｍｍ以上、５．２ｍｍ以上、５．４ｍｍ以上、５．６ｍｍ以上、５．８ｍｍ以上、または６ｍｍ以上である。いくつかの実施の形態において、その第１の厚さまたは第２の厚さは、約１．６ｍｍから約６ｍｍ、約１．７ｍｍから約６ｍｍ、約１．８ｍｍから約６ｍｍ、約１．９ｍｍから約６ｍｍ、約２ｍｍから約６ｍｍ、約２．１ｍｍから約６ｍｍ、約２．２ｍｍから約６ｍｍ、約２．３ｍｍから約６ｍｍ、約２．４ｍｍから約６ｍｍ、約２．５ｍｍから約６ｍｍ、約２．６ｍｍから約６ｍｍ、約２．８ｍｍから約６ｍｍ、約３ｍｍから約６ｍｍ、約３．２ｍｍから約６ｍｍ、約３．４ｍｍから約６ｍｍ、約３．６ｍｍから約６ｍｍ、約３．８ｍｍから約６ｍｍ、約４ｍｍから約６ｍｍ、約１．６ｍｍから約５．８ｍｍ、約１．６ｍｍから約５．６ｍｍ、約１．６ｍｍから約５．５ｍｍ、約１．６ｍｍから約５．４ｍｍ、約１．６ｍｍから約５．２ｍｍ、約１．６ｍｍから約５ｍｍ、約１．６ｍｍから約４．８ｍｍ、約１．６ｍｍから約４．６ｍｍ、約１．６ｍｍから約４．４ｍｍ、約１．６ｍｍから約４．２ｍｍ、約１．６ｍｍから約４ｍｍ、約３．８ｍｍから約５．８ｍｍ、約１．６ｍｍから約３．６ｍｍ、約１．６ｍｍから約３．４ｍｍ、約１．６ｍｍから約３．２ｍｍ、または約１．６ｍｍから約３ｍｍの範囲にある。
【０１５２】
１つ以上の実施の形態において、積層板４００は、ＡＳＴＭ  Ｃ１６５２／Ｃ１６５２Ｍにより測定して、視覚歪みを実質的に含まない。特定の実施の形態において、その積層板、第１の湾曲ガラス層４１０および／または第２の湾曲ガラス層４２０は、ＡＳＴＭ  Ｃ１６５２／Ｃ１６５２Ｍにより測定して、裸眼で視覚的に検出できる皺または歪みを実質的に含まない。
【０１５３】
１つ以上の実施の形態において、第３の主面４２２または第４の主面４２４は、ＦＳＭ表面応力計で測定して、３ＭＰａ未満の表面圧縮応力を含む。いくつかの実施の形態において、前記第２の湾曲ガラス層は、ここに記載されるように強化されておらず（しかし、必要に応じて、徐冷されていてもよい）、第３の主面４２２または第４の主面４２４で測定して、約３ＭＰａ未満、または約２．５ＭＰａ以下、２ＭＰａ以下、１．５ＭＰａ以下、１ＭＰａ以下、または約０．５ＭＰａ以下の表面圧縮応力を示す。いくつかの実施の形態において、そのような表面圧縮応力の範囲は、その第３の主面および第４の主面の両方に存在する。
【０１５４】
１つ以上の実施の形態において、第１の湾曲ガラス層４１０および第２の湾曲ガラス層４２０のいずれか一方または両方は、ここに記載されたように、強化されている。１つ以上の実施の形態において、その第１の湾曲ガラス層は、ここに記載された実施の形態による強化されたガラス物品から作られている一方で、その第２の湾曲ガラス層は強化されていない。１つ以上の実施の形態において、その第１の湾曲ガラス層は、ここに記載された実施の形態による強化されたガラス物品から作られている一方で、その第２の湾曲ガラス層は徐冷されている。１つ以上の実施の形態において、その第１の湾曲ガラス層は、化学的、機械的および／または熱的に強化されている一方で、その第２の湾曲ガラス層は、第１の湾曲ガラス層と異なるやり方で強化されている（化学的、機械的および／または熱的に）。１つ以上の実施の形態において、その第１の湾曲ガラス層は、化学的、機械的および／または熱的に強化されている一方で、その第２の湾曲ガラス層は、第１の湾曲ガラス層と同じやり方で強化されている（化学的、機械的および／または熱的に）。１つ以上の実施の形態において、その第１の湾曲ガラス層は強化されており、その第２の湾曲ガラス層は強化されていない。１つ以上の実施の形態において、その第１の湾曲ガラス層は強化されており、その第２の湾曲ガラス層は徐冷されている。１つ以上の実施の形態において、その第１の湾曲ガラス層およびその第２の湾曲ガラス層の両方とも、強化されている（同じやり方か、互いに異なって）。１つ以上の実施の形態において、第２の湾曲ガラス層は、ソーダ石灰ケイ酸塩ガラスから作られている一方で、第１のガラス基板は、ここに記載されたガラス物品の１つ以上の実施の形態を含むとして特徴付けられることがある。
【０１５５】
１つ以上の実施の形態において、第１の湾曲ガラス層４１０は、第１の長さおよび第１の幅を有し、ここで、その第１の長さおよび第１の幅のいずれか一方または両方は約０．２５メートル以上である。１つ以上の実施の形態において、前記第２の湾曲ガラス層は、その第１の長さの５％以内の第２の長さ、およびその第１の幅の５％以内の第２の幅を有する。１つ以上の実施の形態において、積層板４００は、ここに定義されるように、湾曲しているまたは複雑に湾曲していると記載されることがある。
【０１５６】
１つ以上の実施の形態において、積層板４００は、自動車用板ガラスまたは建築用板ガラスである。
【０１５７】
本開示の別の態様は、内部およびその内部と連通する開口を画成する本体と、その開口内に配置された積層板４００とを備えた乗り物に関する。そのような実施の形態において、積層板４００は、ここに定義されたように、複雑に湾曲している、または単純に湾曲していることがある。
【０１５８】
本開示の別の態様は、ここに記載されたガラス物品の実施の形態を含む第１のガラス層が第２のガラス層に冷間成形される（介在中間層と共に）ことがある積層板５００に関する。図７〜８に示された例示の冷間成形された積層板５００において、第１のガラス層５１０（１つ以上の実施の形態によるガラス物品を含む）は、比較的厚い湾曲した第２のガラス層５３０に積層される。図７において、第２のガラス層５３０は、第一面５３２および中間層５２０と接触する第二面５３４を有し、第１のガラス層５１０は、中間層５２０と接触する第三面５１２および第四面５１４を有する。冷間成形された積層板の指標は、第四面５１４が第三面５１２より大きい表面ＣＳを有することである。したがって、冷間成形された積層板は、第四面５１４上に高い圧縮応力レベルを有し、この表面を破壊に対してより抵抗性にすることができる。
【０１５９】
１つ以上の実施の形態において、冷間成形過程の前に、第三面５１２および第四面５１４のそれぞれの圧縮応力は実質的に等しい。第１のガラス層が強化されていない１つ以上の実施の形態において、第三面５１２および第四面５１４は、冷間成形の前に、感知できる圧縮応力を示さない。第１のガラス層５１０が強化されている（ここに記載されたように）１つ以上の実施の形態において、第三面５１２および第四面５１４は、冷間成形の前に、互いに対して実質的に等しい圧縮応力を示す。１つ以上の実施の形態において、冷間成形の後に、第四面５１４の圧縮応力は増加する（すなわち、第四面５１４の圧縮応力は、冷間成形前よりも、冷間成形後のほうが大きい）。理論で束縛するものではないが、冷間成形過程により、曲げおよび／または成形操作中に与えられる引張応力を相殺するように、成形されているガラス層（すなわち、第１のガラス層）の圧縮応力が増加する。１つ以上の実施の形態において、冷間成形過程により、そのガラス層の第三面（すなわち、第三面５１２）が引張応力を経験する一方で、そのガラス層の第四面（すなわち、第四面５１４）は圧縮応力を経験する。
【０１６０】
強化された第１のガラス層５１０が利用される場合、第三面と第四面（５１２、５１４）は、既に圧縮応力下にあり、それゆえ、第三面５１２は、より大きい引張応力を経験することができる。これにより、強化された第１のガラス層５１０は、よりきつい曲面にしたがうことができる。
【０１６１】
１つ以上の実施の形態において、第１のガラス層５１０は、第２のガラス層５３０よりも小さい厚さを有する。この厚さの差は、第１のガラス層５１０が、第２のガラス層５３０の形状にしたがうようにより可撓性であることを意味する。さらに、より薄い第１のガラス層５１０は、第２のガラス層５３０の形状により生じる形状の不一致および間隙を補うようにより容易に変形するであろう。１つ以上の実施の形態において、薄い強化された第１のガラス層５１０は、特に冷間成形中に、より大きい可撓性を示す。１つ以上の実施の形態において、第１のガラス層５１０は第２のガラス層５３０にしたがって、第二面５３４と第三面５１２との間に実質的に等しい距離を与え、これは、前記中間層により占められる。
【０１６２】
いくつかの非限定的な実施の形態において、冷間成形された積層板５００は、中間層（例えば、５２０）の材料の軟化温度またはそれより少し上の温度（例えば、約１００℃から約１２０℃）、すなわち、それぞれのガラス層の軟化温度より低い温度で行われる例示の冷間成形過程を使用して成形されることがある。図７に示されるような１つの実施の形態において、冷間成形積層板は、第２のガラス層（湾曲している）と第１のガラス層（平らであることがある）との間に中間層を配置して、積層体を形成し；その積層体に圧力を印加して、第２のガラス層を中間層に押し付け、これにより、中間層が第１のガラス層に押し付けられ；その積層体を４００℃未満の温度に加熱して、第２のガラス層が形状において第１のガラス層にしたがっている冷間成形された積層板を形成することによって、形成されることがある。そのような過程は、オートクレーブまたは別の適切な装置内で真空袋またはリングを使用することによって行うことができる。例示の第１のガラス層４１０の応力は、本開示のいくつかの実施の形態にしたがって、実質的に対称から非対称に変化することがある。
【０１６３】
ここに用いられているように、「平らな」および「平面の」とは、交換可能に使用され、そのような平らな層が別の層に冷間成形されているときに、曲率の不一致により積層欠陥が形成される曲率よりも小さい曲率（すなわち、約３メートル以上、約４メートル以上または約５メートル以上の曲率半径）を有する形状を意味する。平らな層は、表面上に配置されたときに先の形状を有する。ここに用いられているように、「単純な湾曲」または「単純に湾曲した」とは、１つの軸に沿った曲率を有する非平面形状（円筒形または曲げを形成する）を意味する。ここに用いられているように、「複雑な湾曲」および「複雑に湾曲した」とは、互いに異なる２つの直交軸に沿って曲率を有する非平面形状を意味する。複雑に湾曲した形状の例としては、以下に限られないが、球面、非球面、およびトロイダルを含む、非展開可能な形状と称されることもある、単純曲面または複合曲面を有することが挙げられる。複雑に湾曲した形状は、そのような表面のセグメントまたは部分を含む、もしくはそのような曲面と表面の組合せからなることもある。１つ以上の実施の形態において、積層板は、単純な湾曲または複雑な湾曲を有することがある。１つ以上の実施の形態において、第１のガラス層、第２のガラス層、積層板またはその組合せは、単純な湾曲または複雑に湾曲した形状を有することがあり、冷間成形されることがある。非限定例として、その単純に湾曲した積層板は、０．５ｍ×１．０ｍの長さと幅の寸法、および単一軸に沿った２から５ｍの曲率半径を有することがある。
【０１６４】
１つ以上の実施の形態による複雑に湾曲した積層板は、２つの独立した方向に別個の曲率半径を有することがある。１つ以上の実施の形態によれば、複雑に湾曲した積層板は、このように、積層板が所定の次元に対して平行な軸（すなわち、第１の軸）に沿って湾曲しており、同じ次元に対して垂直な軸（すなわち、第２の軸）に沿っても湾曲している、「交差曲率」を有すると特徴付けられることがある。その積層板の曲率は、著しい最小半径が著しい交差曲率、および／または曲げの深さと組み合わされた場合、さらにより複雑になり得る。ある積層板は、互いに対して垂直ではない軸に沿った曲げを含むこともある。非限定例として、複雑に湾曲した積層板は、０．５ｍ×１．０ｍの長さと幅の寸法、並びに短軸に沿った２から２．５ｍの曲率半径および主軸に沿った４から５ｍの曲率半径を有することがある。１つ以上の実施の形態において、複雑に湾曲した積層板は、少なくとも１つの軸に沿って５ｍ以下の曲率半径を有することがある。１つ以上の実施の形態において、複雑に湾曲した積層板は、少なくとも第１の軸およびその第１の軸に対して垂直な第２の軸に沿って５ｍ以下の曲率半径を有することがある。１つ以上の実施の形態において、複雑に湾曲した積層板は、少なくとも第１の軸およびその第１の軸に対して垂直ではない第２の軸に沿って５ｍ以下の曲率半径を有することがある。
【０１６５】
図８に示されるように、第１のガラス層５１０は、単純に湾曲または複雑に湾曲していることがあり、間に厚さを介して、少なくとも１つの凹面（例えば、面５１４）を有して、積層板の第四面を与え、少なくとも１つの凸面（例えば、面５１２）を有して、第一面と反対の積層板の第三面を与えることがある。冷間成形の実施の形態において、第２のガラス層５３０は、複雑に湾曲していることがあり、間に厚さを介して、少なくとも１つの凹面（例えば、第二面５３４）および少なくとも１つの凸面（例えば、第一面５３２）を有することがある。
【０１６６】
１つ以上の実施の形態において、中間層５２０、第１のガラス層５１０、および第２のガラス層５３０の１つ以上は、第１の厚さを持つ第１のエッジ（例えば、５３５）および第１の厚さより大きい第２の厚さを持つ、第１のエッジと反対の第２のエッジ（例えば、５３７）を有する。
【０１６７】
この中で他に記載されるように、本開示の１つの態様は、ここに記載されたガラス物品または積層板を備えた乗り物に関する。例えば、図９には、内部を画成する車体６１０、その内部と連通する少なくとも１つの開口６２０、および開口内に配置される窓を備えた車両６００が示されており、その窓は、ここに記載された１つ以上の実施の形態による、積層板またはガラス物品６３０から作られる。積層板またはガラス物品６３０は、車両内の横窓、フロントガラス、リヤ・ウィンドウ、窓、バックミラー、およびサンルーフを形成することがある。いくつかの実施の形態において、積層板またはガラス物品６３０は、車両の内部にある内部パーティション（図示せず）を形成することがある、または車両の外面に配置され、エンジンブロックカバー、ヘッドライトカバー、テールライトカバー、ドアパネルカバー、またはピラーカバーを形成することがある。１つ以上の実施の形態において、その車両は、内部表面（示されていないが、ドアトリム、シートバック、ドアパネル、ダッシュボード、センターコンソール、床板、バックミラーおよびピラーを含むであろう）を含み、ここに記載された積層板またはガラス物品６３０が、内部表面に配置される。１つ以上の実施の形態において、その内部表面はディスプレイを含み、そのガラス層はディスプレイ上に配置される。ここに用いられているように、乗り物は、自動車、鉄道で使用される全車両、汽車、ボート、船舶、および航空機、ヘリコプター、ドローン、宇宙船などを含む。
【０１６８】
本開示の別の態様は、ここに記載されたガラス物品または積層板を含む建築用途に関する。いくつかの実施の形態において、その建築用途は、１つ以上の実施の形態による積層板またはガラス物品を少なくとも部分的に使用して形成された、手すり、階段、装飾パネルまたは壁のカバリング、防音パネルまたはカバー、柱、パーティション、エレベータのかご、家庭用具、窓、家具、および他の用途を含む。
【０１６９】
１つ以上の実施の形態において、前記ガラス物品を含む積層板の一部は、そのガラス物品が乗り物の内部または建物や部屋の内部に面し、よって、ガラス物品が内部に隣接する（他のガラス層が外部に隣接する）ように乗り物または建築用途内に位置している。いくつかの実施の形態において、その積層板のガラス物品は、内部と直接接触している（すわち、内部に面するガラス物品の表面は、むき出しであり、どのようなコーティングもない）。
【０１７０】
１つ以上の実施の形態において、前記ガラス物品を含む積層板の一部は、そのガラス物品が乗り物の外部または建物や部屋の外部に面し、よって、ガラス物品が外部に隣接する（他のガラス層が内部に隣接する）ように乗り物または建築用途内に位置している。いくつかの実施の形態において、その積層板のガラス物品は、外部と直接接触している（すわち、外部に面するガラス物品の表面は、むき出しであり、どのようなコーティングもない）。
【０１７１】
１つ以上の実施の形態において、ここに記載されたガラス物品および／または積層板は、ディスプレイの態様（例えば、ヘッドアップディスプレイ、映写面など）、アンテナ、日光断熱、音響性能（例えば、消音）、防眩性能、反射防止性能、耐引掻性などを組み込む点で追加の機能性を有することがある。そのような機能性は、積層板の露出表面または内部（露出されていない）表面（例えば、複数のガラス層の間またはガラス層と中間層との間）に施されるコーティングまたは層によって損なわれることがある。いくつかの実施の形態において、その積層板は、積層板がヘッドアップディスプレイとして使用されるときに光学的性能を改善できる厚さまたは構造を有する（ガラス層間にくさび形の高分子中間層を組み込むことにより、またはガラス層の内の１つにくさび形を持たせるように成形することにより）ことがある。１つ以上の実施の形態において、その積層板は、防眩機能性を与えるざらざらの表面を含み、そのようなざらざらの表面は、露出表面または露出されていない内部表面上に配置されることがある。１つ以上の実施の形態において、その積層板は、露出表面上に配置された反射防止コーティング、耐引掻性コーティングまたはその組合せを備えることがある。１つ以上の実施の形態において、その積層板は、露出表面上に配置されたアンテナ、およびガラス層のいずれか１つの中に埋め込まれたまたは露出されていない内部表面を含むことがある。１つ以上の実施の形態において、前記中間層は、以下の性質：紫外線（ＵＶ）吸収、赤外線（ＩＲ）吸収、ＩＲ反射、音響制御／消音、接着促進、および色合いの１つ以上を有するように変更することができる。その中間層は、所望の性質を与えるために、染料、顔料、ドーパントなどの適切な添加剤によって変更することができる。
【０１７２】
第１の例（図５、７または９）において、前記積層板は、１つ以上の実施の形態によるガラス物品から作られた第１のガラス層３１０、４１０、５１０、ＳＬＧ物品から作られた第２のガラス層３３０、４３０、５３０、およびＰＶＢから作られた中間層３２０、４２０、５２０を備える。１つ以上の実施の形態において、第１のガラス層に使用されるガラス物品は、約１ｍｍ以下の厚さを有する。いくつかの実施の形態において、その第１のガラス層におけるガラス物品は、化学強化されている。いくつかの実施の形態において、第２のガラス層に使用されるＳＬＧ物品は、徐冷されている。１つ以上の実施の形態において、その積層板は、第１のガラス層（１つ以上の実施の形態によるガラス物品から作られる）は乗り物の内部に面するように乗り物内に位置している。
【０１７３】
第２の例（図５、７または９）において、前記積層板は、１つ以上の実施の形態によるガラス物品から作られた第１のガラス層３１０、４１０、５１０、ＳＬＧ物品から作られた第２のガラス層３３０、４３０、５３０、およびＰＶＢから作られた中間層３２０、４２０、５２０を備える。１つ以上の実施の形態において、第１のガラス層に使用されるガラス物品は、約１ｍｍ以下の厚さを有する。いくつかの実施の形態において、その第１のガラス層におけるガラス物品は、熱強化されている。いくつかの実施の形態において、第２のガラス層に使用されるＳＬＧ物品は、徐冷されている。１つ以上の実施の形態において、その積層板は、第１のガラス層（１つ以上の実施の形態によるガラス物品から作られる）は乗り物の内部に面するように乗り物内に位置している。
【０１７４】
本開示の別の態様は、ここに記載されたようなガラス物品を備えた積層板を形成する方法に関する。１つ以上の実施の形態において、その方法は、ここに記載されたいずれか１つ以上の実施の形態による第１のガラス物品、およびその第１のガラス物品と異なる第２のガラス物品を積層して、積層体を形成する工程を含み、その第１のガラス物品は、第一面およびその第一面と反対の第二面を有し、その第２のガラス物品は、第三面およびその第三面と反対の第四面を有し、その第二面は第三面に隣接している。１つ以上の実施の形態において、その第１のガラス物品および第２のガラス物品は、組成、厚さ、強化レベル、および形成方法のいずれか１つ以上が異なる。１つ以上の実施の形態において、その方法は、その積層体を成形型内に配置する工程、その積層体を、第２のガラス物品が１０１０ポアズの粘度を示す温度に加熱して、成形積層体を形成する工程、および第１のガラス物品と第２のガラス物品との間に中間層を配置する工程を含む。１つ以上の実施の形態において、その成形積層体は、第二面と第三面との間に、約１０ｍｍ以下、５ｍｍ以下、または約３ｍｍ以下の最大距離を有する間隙を含む。１つ以上の実施の形態において、第２のガラス物品はＳＬＧ物品である。１つ以上の実施の形態において、第１のガラス物品の厚さは、１．６ｍｍ未満（例えば、１．５ｍｍ以下、１ｍｍ以下、または０．７ｍｍ以下）であり、第２のガラス物品の厚さは、１．６ｍｍ以上（例えば、１．８ｍｍ以上、２．０ｍｍ以上、または２．１ｍｍ以上）である。１つ以上の実施の形態において、第１のガラス物品はフュージョン成形され、第２のガラス物品はフロート成形されている。
【０１７５】
本開示の別の態様は、ここに記載されたガラス物品または積層板を備えた機器に関する。例えば、その機器に、ディスプレイを備えたどの機器も含まれる。１つ以上の実施の形態において、その機器は電子機器であり、その例としては、携帯電話、ラップトップ型コンピュータ、タブレット、ｍｐ３プレーヤー、ナビゲーション装置などの携帯型機器、またはコンピュータ、電子ディスプレイ、道路交通情報／娯楽系システム、ビルボード、販売時点管理システム、ナビゲーションシステムなどの静止機器が挙げられる。例示の電子機器は、前面、背面、および側面を有する筐体；その筐体の少なくとも部分的に内部にまたは完全に中にある電気部品であって、少なくとも制御装置、メモリ、およびその筐体の前面にまたはそれに近接してあるディスプレイを含む電気部品を備える。ここに記載されたガラス物品または積層板は、ディスプレイ上にある（すなわち、ディスプレイ上のカバーを形成する）ように筐体の前面にまたはその上に配置されることがある。いくつかの実施の形態において、そのガラス物品または積層板は、バックカバーとして使用されることがある。
【実施例】
【０１７６】
様々な実施の形態を、以下の実施例によりさらに解明する。
【０１７７】
実施例１〜６７
実施例１〜６７は、本開示の１つ以上の実施の形態による例示のガラス組成物である。実施例１〜６７のガラス組成（モル％）が、表１に与えられている。表１には、２０℃での密度、歪み点温度（ビーム曲げ粘度計により測定される）、徐冷点温度（ビーム曲げ粘度計により測定される）、軟化点温度（ファイバ伸張により測定される）、ＣＴＥ、応力光学係数、屈折率、Ｔ２００、Ｔ３５０００、Ｔ２０００００、液相温度、液相粘度、ジルコン分解温度、ジルコン分解粘度、および他の属性も含まれている。
【０１７８】
実施例１〜５１、および５３〜５８、並びに６１は、表１に示されたような厚さ１ｍｍまたは０．５５ｍｍを有するガラス物品にフュージョン成形され、表１に与えられたように、徐冷され、次いで、化学強化された。化学強化された後の強化済みガラス物品の結果として得られた表面ＣＳ（ＭＰａ）およびＤＯＣ（マイクロメートル）値も、表１に与えられている。ＤＯＣ値は、ＦＳＭを使用して測定した。
【０１７９】
【表１−１】
2020525379.tif 000003
【０１８０】
【表１−２】
2020525379.tif 000004
【０１８１】
【表１−３】
2020525379.tif 000005
【０１８２】
【表１−４】
2020525379.tif 000006
【０１８３】
【表１−５】
2020525379.tif 000007
【０１８４】
【表１−６】
2020525379.tif 000008
【０１８５】
【表１−７】
2020525379.tif 000009
【０１８６】
【表１−８】
2020525379.tif 000010
【０１８７】
【表１−９】
2020525379.tif 000011
【０１８８】
【表１−１０】
2020525379.tif 000012
【０１８９】
【表１−１１】
2020525379.tif 000013
【０１９０】
【表１−１２】
2020525379.tif 000014
【０１９１】
【表１−１３】
2020525379.tif 000015
【０１９２】
【表１−１４】
2020525379.tif 000016
【０１９３】
【表１−１５】
2020525379.tif 000017
【０１９４】
【表１−１６】
2020525379.tif 000018
【０１９５】
【表１−１７】
2020525379.tif 000019
【０１９６】
【表１−１８】
2020525379.tif 000020
【０１９７】
【表１−１９】
2020525379.tif 000021
【０１９８】
【表１−２０】
2020525379.tif 000022
【０１９９】
【表１−２１】
2020525379.tif 000023
【０２００】
【表１−２２】
2020525379.tif 000024
【０２０１】
【表１−２３】
2020525379.tif 000025
【０２０２】
【表１−２４】
2020525379.tif 000026
【０２０３】
【表１−２５】
2020525379.tif 000027
【０２０４】
【表１−２６】
2020525379.tif 000028
【０２０５】
【表１−２７】
2020525379.tif 000029
【０２０６】
【表１−２８】
2020525379.tif 000030
【０２０７】
実施例６８〜７７
実施例６８〜７７は、本開示の１つ以上の実施の形態による例示のガラス組成物である。実施例６８〜７７のガラス組成（モル％）が、歪み点温度（ビーム曲げ粘度計により測定される）、徐冷点温度（ビーム曲げ粘度計により測定される）、軟化点温度（ファイバ伸張により測定される）、垂下温度、対数１１の粘度（ポアズ）での温度、Ｔ２００、Ｔ３５０００、Ｔ２０００００、密度、ＣＴＥ、液相粘度、ジルコン分解温度、およびジルコン分解粘度と共に、表３に与えられている。
【０２０８】
【表２−１】
2020525379.tif 000031
【０２０９】
【表２−２】
2020525379.tif 000032
【０２１０】
図１０は、公知のソーダ石灰ケイ酸塩ガラス組成物と共に、実施例６３、６６、モデル化実施例７２に関する温度の関数としての対数粘度曲線である。比較のために、公知のアルカリアルミノケイ酸塩ガラス組成物（比較例Ａ）が表２に示されている。
【０２１１】
【表３】
2020525379.tif 000033
【０２１２】
表２に示されるように、比較例Ａは、ここに記載された本発明のガラス組成物と著しく異なる属性を示すアルカリアルミノケイ酸塩ガラス組成物である。具体的には、比較例Ａは、７２５℃を超える（徐冷点＋軟化点）／２の関係を示す。それに加え、比較例Ａは、４００℃より著しく低いＴ２００とＴ３５０００の間の差、および−８００℃より大きい関係［（徐冷点（℃）＋軟化点（℃））／２−Ｔ２００］を示す。それに加え、比較例Ａは、約７２３℃の垂下温度を示す。
【０２１３】
本発明の精神または範囲から逸脱せずに、様々な改変および変更を行えることが、当業者に明白であろう。
【０２１４】
本開示の態様（１）は、約６３モル％から約７５モル％の範囲の量のＳｉＯ２、約７モル％から約１３モル％の範囲の量のＡｌ２Ｏ３、約１３モル％から約２４モル％の範囲の量のＲ２Ｏ、および約０モル％から約３モル％の範囲の量のＰ２Ｏ５を含むガラス組成物を有するガラス物品であって、そのガラス組成物は、ＭｇＯとＺｎＯの一方または両方を含み、ＭｇＯの量は、約０モル％から約７モル％の範囲にあり、ＺｎＯは、約０モル％から約７モル％の範囲の量で存在し、そのガラス物品は、徐冷点（℃）および軟化点（℃）を有し、（徐冷点＋軟化点）／２の関係が約６２５℃から約７２５℃の範囲にある、ガラス物品に関する。
【０２１５】
本開示の態様（２）は、そのガラス物品が、２００ポアズの粘度での温度（℃）（Ｔ２００）および３５０００ポアズの粘度での温度（℃）（Ｔ３５０００）を有し、Ｔ２００−Ｔ３５０００は、約４００℃から約６００℃の範囲にある、態様（１）のガラス物品に関する。
【０２１６】
本開示の態様（３）は、そのガラス物品が、２００ポアズの粘度での温度（℃）（Ｔ２００）を有し、関係（徐冷点＋軟化点）／２とＴ２００との間の差が−８００℃未満である、態様（１）または態様（２）のガラス物品に関する。
【０２１７】
本開示の態様（４）は、そのガラス物品が、３５０００ポアズの粘度での温度（℃）（Ｔ３５０００）を有し、関係（徐冷点＋軟化点）／２とＴ３５０００との間の差が−３００℃未満である、態様（１）から（３）のいずれか１つのガラス物品に関する。
【０２１８】
本開示の態様（５）は、Ｔ２００およびＴ３５０００のいずれか一方または両方が、約１０３０℃より大きい、態様（２）から（４）のいずれか１つのガラス物品に関する。
【０２１９】
本開示の態様（６）は、そのガラス物品が、約６２０℃から約７２０℃の範囲の垂下温度を有する、態様（１）から（５）のいずれか１つのガラス物品に関する。
【０２２０】
本開示の態様（７）は、Ａｌ２Ｏ３の量が約８モル％から約１１モル％の範囲にあり、Ｎａ２Ｏの量が約１２モル％から約１８モル％の範囲にあり、Ｋ２Ｏの量が、約１モル％から約３．５モル％の範囲にある、態様（１）から（６）のいずれか１つのガラス物品に関する。
【０２２１】
本開示の態様（８）は、約０．０１モル％から約４モル％の範囲の量のＣａＯをさらに含む、態様（１）から（７）のいずれか１つのガラス物品に関する。
【０２２２】
本開示の態様（９）は、ＭｇＯが約０モル％から約３モル％の範囲の量で存在する、態様（１）から（８）のいずれか１つのガラス物品に関する。
【０２２３】
本開示の態様（１０）は、ＺｎＯが約０モル％から約５モル％の範囲の量で存在する、態様（１）から（９）のいずれか１つのガラス物品に関する。
【０２２４】
本開示の態様（１１）は、関係（徐冷点＋軟化点）／２が約７００℃未満である、態様（１）から（１０）のいずれか１つのガラス物品に関する。
【０２２５】
本開示の態様（１２）は、約１００ｋＰ超の液相粘度をさらに有する、態様（１）から（１１）のいずれか１つのガラス物品に関する。
【０２２６】
本開示の態様（１３）は、約３５ｋＰ未満のジルコン分解粘度をさらに有する、態様（１）から（１２）のいずれか１つのガラス物品に関する。
【０２２７】
本開示の態様（１４）は、そのガラス物品が強化されている、態様（１）から（１３）のいずれか１つのガラス物品に関する。
【０２２８】
本開示の態様（１５）は、そのガラス物品がフュージョン成形されている、態様（１）から（１４）のいずれか１つのガラス物品に関する。
【０２２９】
本開示の態様（１６）は、２モル％超の量のＡｌ２Ｏ３を含むガラス組成物を有するアルミノケイ酸塩ガラス物品であって、そのガラス物品が徐冷点（℃）および軟化点（℃）を有し、（徐冷点＋軟化点）／２の関係が約６２５℃から約７２５℃の範囲にある、ガラス物品に関する。
【０２３０】
本開示の態様（１７）は、そのガラス組成物が、約５モル％以上の総量のアルカリ金属酸化物（Ｒ２Ｏ）を含む、態様（１６）のガラス物品に関する。
【０２３１】
本開示の態様（１８）は、そのガラス組成物が、ＭｇＯとＺｎＯの一方または両方を含み、ＭｇＯの量は、約０モル％から約７モル％の範囲にあり、ＺｎＯは、約０モル％から約７モル％の範囲の量で存在する、態様（１６）または態様（１７）のガラス物品に関する。
【０２３２】
本開示の態様（１９）は、そのアルカリ金属酸化物の量の総量が、約５モル％から約２０モル％の範囲にある、態様（１６）から（１８）のいずれか１つのガラス物品に関する。
【０２３３】
本開示の態様（２０）は、約１０００℃超の３５キロポアズの粘度での温度をさらに有する、態様（１６）から（１９）のいずれか１つのガラス物品に関する。
【０２３４】
本開示の態様（２１）は、約９００℃超の２００キロポアズの粘度での温度をさらに有する、態様（１６）から（２０）のいずれか１つのガラス物品に関する。
【０２３５】
本開示の態様（２２）は、約５８０℃未満の徐冷点をさらに有する、態様（１６）から（２１）のいずれか１つのガラス物品に関する。
【０２３６】
本開示の態様（２３）は、約５３０℃未満の歪み点をさらに有する、態様（１６）から（２２）のいずれか１つのガラス物品に関する。
【０２３７】
本開示の態様（２４）は、約２．６ｇ／ｃｍ３以下の密度をさらに有する、態様（１６）から（２３）のいずれか１つのガラス物品に関する。
【０２３８】
本開示の態様（２５）は、約７２５℃から８６０℃の範囲の軟化点をさらに有する、態様（１６）から（２４）のいずれか１つのガラス物品に関する。
【０２３９】
本開示の態様（２６）は、そのガラス物品が強化されている、態様（１６）から（２５）のいずれか１つのガラス物品に関する。
【０２４０】
本開示の態様（２７）は、そのガラス物品がフュージョン成形されている、態様（１６）から（２６）のいずれか１つのガラス物品に関する。
【０２４１】
本開示の態様（２８）は、内部およびその内部と連通する開口を画成する本体と；その開口内に配置されたガラス物品であって、２モル％超の量のＡｌ２Ｏ３を含むガラス組成物、徐冷点（℃）、軟化点（℃）、および約６２５℃から約７２５℃の範囲にある（徐冷点＋軟化点）／２の関係を有するガラス物品とを備えた乗り物に関する。
【０２４２】
本開示の態様（２９）は、そのガラス物品が、約１６モル％以上の量の総量のアルカリ金属酸化物を含むガラス組成物、および約６００℃から約７００℃の範囲の垂下温度を有する、態様（２８）の乗り物に関する。
【０２４３】
本開示の態様（３０）は、そのガラス組成物が、４モル％超の量のＡｌ２Ｏ３をさらに含む、態様（２８）または態様（２９）の乗り物に関する。
【０２４４】
本開示の態様（３１）は、そのガラス組成物が、Ｌｉ２Ｏ、Ｎａ２ＯおよびＫ２Ｏから選択されるアルカリ金属酸化物をさらに含み、そのアルカリ金属酸化物が約５モル％超の量で存在する、態様（２８）から（３０）のいずれか１つの乗り物に関する。
【０２４５】
本開示の態様（３２）は、そのガラス組成物が、約５モル％から約２４モル％の範囲の総量のアルカリ金属酸化物（Ｒ２Ｏ＝Ｌｉ２Ｏ＋Ｎａ２Ｏ＋Ｋ２Ｏ）をさらに含む、態様（３１）の乗り物に関する。
【０２４６】
本開示の態様（３３）は、そのガラス物品が、約１０００℃超の３５キロポアズの粘度での温度をさらに有する、態様（２８）から（３２）のいずれか１つの乗り物に関する。
【０２４７】
本開示の態様（３４）は、そのガラス物品が、約９００℃超の２００キロポアズの粘度での温度をさらに有する、態様（２８）から（３３）のいずれか１つの乗り物に関する。
【０２４８】
本開示の態様（３５）は、そのガラス物品が、約６００℃未満の徐冷点をさらに有する、態様（２８）から（３４）のいずれか１つの乗り物に関する。
【０２４９】
本開示の態様（３６）は、そのガラス物品が、約５５０℃未満の歪み点をさらに有する、態様（２８）から（３５）のいずれか１つの乗り物に関する。
【０２５０】
本開示の態様（３７）は、そのガラス物品が、約２．６ｇ／ｃｍ３以下の密度をさらに有する、態様（２８）から（３６）のいずれか１つの乗り物に関する。
【０２５１】
本開示の態様（３８）は、そのガラス物品が、約７２５℃から８６０℃の範囲の軟化点をさらに有する、態様（２８）から（３７）のいずれか１つの乗り物に関する。
【０２５２】
本開示の態様（３９）は、そのガラス物品が強化されている、態様（２８）から（３８）のいずれか１つの乗り物に関する。
【０２５３】
本開示の態様（４０）は、そのガラス物品がさらにフュージョン成形されている、態様（２８）から（３９）のいずれか１つの乗り物に関する。
【０２５４】
本開示の態様（４１）は、第１のガラス層、その第１のガラス層上に配置された中間層、および第１のガラス層と反対の中間層上に配置された第２のガラス層を備えた積層板であって、その第１のガラス層および第２のガラス層のいずれか一方または両方が、態様（１）から（１５）のいずれか１つのガラス物品から作られている、積層板に関する。
【０２５５】
本開示の態様（４２）は、その第１のガラス層および第２のガラス層のいずれか一方または両方が、約１．６ｍｍ未満の厚さを有する、態様（４１）の積層板に関する。
【０２５６】
本開示の態様（４３）は、第１のガラス層、その第１のガラス層上に配置された中間層、および第１のガラス層と反対の中間層上に配置された第２のガラス層を備えた積層板であって、その第２のガラス層が、態様（１）から（１５）のいずれか１つのガラス物品から作られている、積層板に関する。
【０２５７】
本開示の態様（４４）は、その第１のガラス層が１．６ｍｍ以上の厚さを有し、その第２のガラス層が約１．６ｍｍ未満の厚さを有する、態様（４３）の積層板に関する。
【０２５８】
本開示の態様（４５）は、積層板を形成する方法において、その方法は、第１のガラス物品、および態様（１）から（２７）のいずれか１つの第２のガラス物品を積み重ねて、積層体を形成する工程であって、その第１のガラス物品が、その第２のガラス物品と異なる組成を有し、第一面およびその第一面と反対の第二面を有し、その第２のガラス物品は、第三面およびその第三面と反対の第四面を有し、その積層体において、第二面が第三面と隣接している工程；その積層体を成形型上に配置する工程；その積層体を、第１のガラス物品の徐冷点より高い温度に加熱して、成形積層体を形成する工程；および第１のガラス物品と第２のガラス物品との間に中間層を配置する工程を有してなる方法に関する。
【０２５９】
本開示の態様（４６）は、その成形積層体が、約１０ｍｍ以下の最大距離を有する間隙を第二面と第三面との間に含む、態様（４５）の方法に関する。
【０２６０】
本開示の態様（４７）は、その最大距離が約５ｍｍ以下である、態様（４６）の方法に関する。
【０２６１】
本開示の態様（４８）は、その最大距離が約３ｍｍ以下である、態様（４６）の方法に関する。
【０２６２】
本開示の態様（４９）は、積層板において、第１の主面、その第１の主面と反対の第２の主面、その第１の主面と第２の主面との間の距離として規定される第１の厚さ、および約２ｍｍ以上の第１の垂下深さを有する第１の湾曲ガラス層であって、第１の粘度（ポアズ）を有する第１の湾曲ガラス層；第３の主面、その第３の主面と反対の第４の主面、その第３の主面と第４の主面との間の距離として規定される第２の厚さ、および約２ｍｍ以上の第２の垂下深さを有する第２の湾曲ガラス層であって、第２の粘度を有する第２の湾曲ガラス層；およびその第１の湾曲ガラス層と第２の湾曲ガラス層との間であって、第２の主面および第３の主面に隣接して配置された中間層を備え、６３０℃での第１の粘度が６３０℃の温度での第２の粘度より大きく、第１の垂下深さが第２の垂下深さの１０％以内であり、第１の湾曲ガラス層と第２の湾曲ガラス層との間の形状偏差は、光学三次元スキャナで測定して、±５ｍｍ以下であり、第１の主面および第４の主面の一方または両方は、ＡＳＴＭ１５６１にしたがう透過光学素子を使用した光学的歪み検出器で測定して、２００ミリジオプター未満の光学的歪みを有し、第３の主面または第４の主面は、ＡＳＴＭ  Ｃ１２７９にしたがって、表面応力計で測定して、７ＭＰａ未満の膜引張応力を有する、積層板に関する。
【０２６３】
本開示の態様（５０）は、その第１の湾曲ガラス層が、態様（１）から（１５）のいずれか１つのガラス物品から作られている、態様（４９）の積層板に関する。
【０２６４】
本開示の態様（５１）は、その第１の湾曲ガラス層が、態様（１６）から（２７）のいずれか１つのガラス物品から作られている、態様（４９）の積層板に関する。
【０２６５】
本開示の態様（５２）は、約６３０℃の温度で、第１の粘度が、第２の粘度の約１０倍から第２の粘度の約７５０倍の範囲にある、態様（５０）または態様（５１）の積層板に関する。
【０２６６】
本開示の態様（５３）は、その第１の厚さが第２の厚さより小さい、態様（５０）から（５２）のいずれか１つの積層板に関する。
【０２６７】
本開示の態様（５４）は、第１の厚さが、約０．１ｍｍから約１．６ｍｍ未満までであり、第２の厚さが、約１．６ｍｍから約３ｍｍの範囲にある、態様（５０）から（５３）のいずれか１つの積層板に関する。
【０２６８】
本開示の態様（５５）は、その第１の湾曲ガラス層が第１の垂下温度を有し、その第２の湾曲ガラス層が、第１の垂下温度と異なる第２の垂下温度を有する、態様（５０）から（５４）のいずれか１つの積層板に関する。
【０２６９】
本開示の態様（５６）は、その第１の垂下温度と第２の垂下温度との間の差の大きさが、約３０℃から約１５０℃の範囲にある、態様（５５）の積層板に関する。
【０２７０】
本開示の態様（５７）は、その形状偏差が約±１ｍｍ以下である、態様（５０）から（５６）のいずれか１つの積層板に関する。
【０２７１】
本開示の態様（５８）は、その形状偏差が約±０．５ｍｍ以下である、態様（５０）から（５７）のいずれか１つの積層板に関する。
【０２７２】
本開示の態様（５９）は、その光学的歪みが約１００ミリジオプター以下である、態様（５０）から（５８）のいずれか１つの積層板に関する。
【０２７３】
本開示の態様（６０）は、その膜引張応力が約５ＭＰａ以下である、態様（５０）から（５９）のいずれか１つの積層板に関する。
【０２７４】
本開示の態様（６１）は、その第１の垂下深さが約５ｍｍから約３０ｍｍの範囲にある、態様（５０）から（６０）のいずれか１つの積層板に関する。
【０２７５】
本開示の態様（６２）は、その第３の主面または第４の主面が、表面応力計で測定して、３ＭＰａ未満の表面圧縮応力を有する、態様（５０）から（６１）のいずれか１つの積層板に関する。
【０２７６】
本開示の態様（６３）は、その積層板が、ＡＳＴＭ  Ｃ１６５２／Ｃ１６５２Ｍにより測定して、視覚歪みを実質的に含まない、態様（５０）から（６２）のいずれか１つの積層板に関する。
【０２７７】
本開示の態様（６４）は、その第１の湾曲ガラス層が強化されている、態様（５０）から（６３）のいずれか１つの積層板に関する。
【０２７８】
本開示の態様（６５）は、その第１の湾曲ガラス層が、化学強化されている、機械的に強化されている、または熱強化されている、態様（６４）の積層板に関する。
【０２７９】
本開示の態様（６６）は、その第２の湾曲ガラス層が強化されていない、態様（６４）または態様（６５）の積層板に関する。
【０２８０】
本開示の態様（６７）は、その第２の湾曲ガラス層が強化されている、態様（６４）または態様（６５）の積層板に関する。
【０２８１】
本開示の態様（６８）は、その第２の湾曲ガラス層がソーダ石灰ケイ酸塩ガラスから作られている、態様（５０）から（６７）のいずれか１つの積層板に関する。
【０２８２】
本開示の態様（６９）は、その第１の湾曲ガラス層が、第１の長さおよび第１の幅を有し、その第１の長さおよび第１の幅のいずれか一方または両方は、約０．２５メートル以上である、態様（５０）から（６８）のいずれか１つの積層板に関する。
【０２８３】
本開示の態様（７０）は、その第１の湾曲ガラス層が、第１の長さおよび第１の幅を有し、その第２の湾曲ガラス層が、第１の長さの５％以内の第２の長さ、および第１の幅の５％以内の第２の幅を有する、態様（５０）から（６９）のいずれか１つの積層板に関する。
【０２８４】
本開示の態様（７１）は、その積層板が複雑に湾曲している、態様（５０）から（７０）のいずれか１つの積層板に関する。
【０２８５】
本開示の態様（７２）は、その積層板が、自動車用板ガラスまたは建築用板ガラスを構成する、態様（５０）から（７１）のいずれか１つの積層板に関する。
【０２８６】
本開示の態様（７３）は、内部およびその内部と連通する開口を画成する本体と、その開口内に配置された態様（５０）から（７２）のいずれか１つの積層板とを備えた乗り物に関する。
【０２８７】
本開示の態様（７４）は、その積層板が複雑に湾曲している、態様（７３）の乗り物に関する。
【０２８８】
本開示の態様（７５）は、外面および態様（１）から（１５）のいずれか１つのガラス物品を備えた乗り物に関する。
【０２８９】
本開示の態様（７６）は、外面および態様（１６）から（２７）のいずれか１つのガラス物品を備えた乗り物に関する。
【０２９０】
本開示の態様（７７）は、その外面が、エンジンブロックカバー、ヘッドライトカバー、テールライトカバー、ドアパネルカバー、またはピラーカバーの内の１つを形成する、態様（７５）または態様（７６）の乗り物に関する。
【０２９１】
本開示の態様（７８）は、内面および態様（１）から（１５）のいずれか１つのガラス物品を備えた乗り物に関する。
【０２９２】
本開示の態様（７９）は、内面および態様（１６）から（２７）のいずれか１つのガラス物品を備えた乗り物に関する。
【０２９３】
本開示の態様（７９）は、その内面が、ドアトリム、シートバック、ドアパネル、ダッシュボード、センターコンソール、床板、バックミラーおよびピラーの内の１つを形成する、態様（７８）または態様（７９）の乗り物に関する。
【０２９４】
以下、本発明の好ましい実施形態を項分け記載する。
【０２９５】
実施形態１
ガラス組成物を有するガラス物品において、該ガラス組成物が、
約６３モル％から約７５モル％の範囲の量のＳｉＯ２、
約７モル％から約１３モル％の範囲の量のＡｌ２Ｏ３、
約１３モル％から約２４モル％の範囲の量のＲ２Ｏ、および
約０モル％から約３モル％の範囲の量のＰ２Ｏ５
を含み、
前記ガラス組成物は、ＭｇＯとＺｎＯの一方または両方を含み、ＭｇＯの量は、約０モル％から約７モル％の範囲にあり、ＺｎＯは、約０モル％から約７モル％の範囲の量で存在し、
前記ガラス物品は、徐冷点（℃）および軟化点（℃）を有し、（徐冷点＋軟化点）／２の関係が約６２５℃から約７２５℃の範囲にある、ガラス物品。
【０２９６】
実施形態２
前記ガラス物品が、２００ポアズの粘度での温度（℃）（Ｔ２００）および３５０００ポアズの粘度での温度（℃）（Ｔ３５０００）を有し、Ｔ２００−Ｔ３５０００は、約４００℃から約６００℃の範囲にある、実施形態１に記載のガラス物品。
【０２９７】
実施形態３
前記ガラス物品が、２００ポアズの粘度での温度（℃）（Ｔ２００）を有し、関係（徐冷点＋軟化点）／２とＴ２００との間の差が−８００℃未満である、実施形態１または２に記載のガラス物品。
【０２９８】
実施形態４
前記ガラス物品が、３５０００ポアズの粘度での温度（℃）（Ｔ３５０００）を有し、関係（徐冷点＋軟化点）／２とＴ３５０００との間の差が−３００℃未満である、実施形態１から３のいずれか１つに記載のガラス物品。
【０２９９】
実施形態５
Ｔ２００およびＴ３５０００のいずれか一方または両方が、約１０３０℃より大きい、実施形態２から４のいずれか１つに記載のガラス物品。
【０３００】
実施形態６
前記ガラス物品が、約６２０℃から約７２０℃の範囲の垂下温度を有する、実施形態１から５のいずれか１つに記載のガラス物品。
【０３０１】
実施形態７
Ａｌ２Ｏ３の量が約８モル％から約１１モル％の範囲にあり、Ｎａ２Ｏの量が約１２モル％から約１８モル％の範囲にあり、Ｋ２Ｏの量が、約１モル％から約３．５モル％の範囲にある、実施形態１から６のいずれか１つに記載のガラス物品。
【０３０２】
実施形態８
約０．０１モル％から約４モル％の範囲の量のＣａＯをさらに含む、実施形態１から７のいずれか１つに記載のガラス物品。
【０３０３】
実施形態９
ＭｇＯが約０モル％から約３モル％の範囲の量で存在する、実施形態１から８のいずれか１つに記載のガラス物品。
【０３０４】
実施形態１０
ＺｎＯが約０モル％から約５モル％の範囲の量で存在する、実施形態１から９のいずれか１つに記載のガラス物品。
【０３０５】
実施形態１１
前記関係（徐冷点＋軟化点）／２が約７００℃未満である、実施形態１から１０のいずれか１つに記載のガラス物品。
【０３０６】
実施形態１２
約１００ｋＰ超の液相粘度をさらに有する、実施形態１から１１のいずれか１つに記載のガラス物品。
【０３０７】
実施形態１３
約３５ｋＰ未満のジルコン分解粘度をさらに有する、実施形態１から１２のいずれか１つに記載のガラス物品。
【０３０８】
実施形態１４
前記ガラス物品が強化されている、実施形態１から１３のいずれか１つに記載のガラス物品。
【０３０９】
実施形態１５
前記ガラス物品がフュージョン成形されている、実施形態１から１４のいずれか１つに記載のガラス物品。
【０３１０】
実施形態１６
アルミノケイ酸塩ガラス物品において、
２モル％超の量のＡｌ２Ｏ３を含むガラス組成物、
を有し、
前記ガラス物品が徐冷点（℃）および軟化点（℃）を有し、（徐冷点＋軟化点）／２の関係が約６２５℃から約７２５℃の範囲にある、ガラス物品。
【０３１１】
実施形態１７
前記ガラス組成物が、約５モル％以上の総量のアルカリ金属酸化物（Ｒ２Ｏ）を含む、実施形態１６に記載のガラス物品。
【０３１２】
実施形態１８
前記ガラス組成物が、ＭｇＯとＺｎＯの一方または両方を含み、ＭｇＯの量は、約０モル％から約７モル％の範囲にあり、ＺｎＯは、約０モル％から約７モル％の範囲の量で存在する、実施形態１６または１７に記載のガラス物品。
【０３１３】
実施形態１９
前記アルカリ金属酸化物の量の総量が、約５モル％から約２０モル％の範囲にある、実施形態１６から１８のいずれか１つに記載のガラス物品。
【０３１４】
実施形態２０
約１０００℃超の３５キロポアズの粘度での温度をさらに有する、実施形態１６から１９のいずれか１つに記載のガラス物品。
【０３１５】
実施形態２１
約９００℃超の２００キロポアズの粘度での温度をさらに有する、実施形態１６から２０のいずれか１つに記載のガラス物品。
【０３１６】
実施形態２２
約５８０℃未満の徐冷点をさらに有する、実施形態１６から２１のいずれか１つに記載のガラス物品。
【０３１７】
実施形態２３
約５３０℃未満の歪み点をさらに有する、実施形態１６から２２のいずれか１つに記載のガラス物品。
【０３１８】
実施形態２４
約２．６ｇ／ｃｍ３以下の密度をさらに有する、実施形態１６から２３のいずれか１つに記載のガラス物品。
【０３１９】
実施形態２５
約７２５℃から８６０℃の範囲の軟化点をさらに有する、実施形態１６から２４のいずれか１つに記載のガラス物品。
【０３２０】
実施形態２６
前記ガラス物品が強化されている、実施形態１６から２５のいずれか１つに記載のガラス物品。
【０３２１】
実施形態２７
前記ガラス物品がフュージョン成形されている、実施形態１６から２６のいずれか１つに記載のガラス物品。
【０３２２】
実施形態２８
内部および該内部と連通する開口を画成する本体と、
前記開口内に配置されたガラス物品であって、２モル％超の量のＡｌ２Ｏ３を含むガラス組成物、徐冷点（℃）、軟化点（℃）、および約６２５℃から約７２５℃の範囲にある（徐冷点＋軟化点）／２の関係を有する、ガラス物品と、
を備えた乗り物。
【０３２３】
実施形態２９
前記ガラス物品が、約１６モル％以上の量の総量のアルカリ金属酸化物を含むガラス組成物、および約６００℃から約７００℃の範囲の垂下温度を有する、実施形態２８に記載の乗り物。
【０３２４】
実施形態３０
前記ガラス組成物が、４モル％超の量のＡｌ２Ｏ３をさらに含む、実施形態２８または２９に記載の乗り物。
【０３２５】
実施形態３１
前記ガラス組成物が、Ｌｉ２Ｏ、Ｎａ２ＯおよびＫ２Ｏから選択されるアルカリ金属酸化物をさらに含み、該アルカリ金属酸化物が約５モル％超の量で存在する、実施形態２８から３０のいずれか１つに記載の乗り物。
【０３２６】
実施形態３２
前記ガラス組成物が、約５モル％から約２４モル％の範囲の総量のアルカリ金属酸化物（Ｒ２Ｏ＝Ｌｉ２Ｏ＋Ｎａ２Ｏ＋Ｋ２Ｏ）をさらに含む、実施形態３１に記載の乗り物。
【０３２７】
実施形態３３
前記ガラス物品が、約１０００℃超の３５キロポアズの粘度での温度をさらに有する、実施形態２８から３２のいずれか１つに記載の乗り物。
【０３２８】
実施形態３４
前記ガラス物品が、約９００℃超の２００キロポアズの粘度での温度をさらに有する、実施形態２８から３３のいずれか１つに記載の乗り物。
【０３２９】
実施形態３５
前記ガラス物品が、約６００℃未満の徐冷点をさらに有する、実施形態２８から３４のいずれか１つに記載の乗り物。
【０３３０】
実施形態３６
前記ガラス物品が、約５５０℃未満の歪み点をさらに有する、実施形態２８から３５のいずれか１つに記載の乗り物。
【０３３１】
実施形態３７
前記ガラス物品が、約２．６ｇ／ｃｍ３以下の密度をさらに有する、実施形態２８から３６のいずれか１つに記載の乗り物。
【０３３２】
実施形態３８
前記ガラス物品が、約７２５℃から８６０℃の範囲の軟化点をさらに有する、実施形態２８から３７のいずれか１つに記載の乗り物。
【０３３３】
実施形態３９
前記ガラス物品が強化されている、実施形態２８から３８のいずれか１つに記載の乗り物。
【０３３４】
実施形態４０
前記ガラス物品がさらにフュージョン成形されている、実施形態２８から３９のいずれか１つに記載の乗り物。
【０３３５】
実施形態４１
第１のガラス層、
前記第１のガラス層上に配置された中間層、および
前記第１のガラス層と反対の前記中間層上に配置された第２のガラス層、
を備えた積層板であって、
前記第１のガラス層および前記第２のガラス層のいずれか一方または両方が、実施形態１から１５のいずれか１つに記載のガラス物品から作られている、積層板。
【０３３６】
実施形態４２
前記第１のガラス層および前記第２のガラス層のいずれか一方または両方が、約１．６ｍｍ未満の厚さを有する、実施形態４１に記載の積層板。
【０３３７】
実施形態４３
第１のガラス層、
前記第１のガラス層上に配置された中間層、および
前記第１のガラス層と反対の前記中間層上に配置された第２のガラス層であって、実施形態１から１５のいずれか１つに記載のガラス物品から作られているその第２のガラス層、
を備えた積層板。
【０３３８】
実施形態４４
前記第１のガラス層が１．６ｍｍ以上の厚さを有し、前記第２のガラス層が約１．６ｍｍ未満の厚さを有する、実施形態４３に記載の積層板。
【０３３９】
実施形態４５
積層板を形成する方法において、
第１のガラス物品、および実施形態１から２７のいずれか１つに記載の第２のガラス物品を積み重ねて、積層体を形成する工程であって、該第１のガラス物品が、該第２のガラス物品と異なる組成を有し、第一面および該第一面と反対の第二面を有し、該第２のガラス物品は、第三面および該第三面と反対の第四面を有し、前記積層体において、前記第二面が前記第三面と隣接している工程；
前記積層体を成形型上に配置する工程；
前記積層体を、前記第１のガラス物品の徐冷点より高い温度に加熱して、成形積層体を形成する工程；および
前記第１のガラス物品と前記第２のガラス物品との間に中間層を配置する工程；
を有してなる方法。
【０３４０】
実施形態４６
前記成形積層体が、約１０ｍｍ以下の最大距離を有する間隙を前記第二面と前記第三面との間に含む、実施形態４５に記載の方法。
【０３４１】
実施形態４７
前記最大距離が約５ｍｍ以下である、実施形態４６に記載の方法。
【０３４２】
実施形態４８
前記最大距離が約３ｍｍ以下である、実施形態４６に記載の方法。
【０３４３】
実施形態４９
積層板において、
第１の主面、該第１の主面と反対の第２の主面、該第１の主面と該第２の主面との間の距離として規定される第１の厚さ、および約２ｍｍ以上の第１の垂下深さを有する第１の湾曲ガラス層であって、第１の粘度（ポアズ）を有する第１の湾曲ガラス層；
第３の主面、該第３の主面と反対の第４の主面、該第３の主面と該第４の主面との間の距離として規定される第２の厚さ、および約２ｍｍ以上の第２の垂下深さを有する第２の湾曲ガラス層であって、第２の粘度を有する第２の湾曲ガラス層；および
前記第１の湾曲ガラス層と前記第２の湾曲ガラス層との間であって、前記第２の主面および前記第３の主面に隣接して配置された中間層；
を備え、
６３０℃での前記第１の粘度が６３０℃の温度での前記第２の粘度より大きく、
前記第１の垂下深さが前記第２の垂下深さの１０％以内であり、前記第１の湾曲ガラス層と前記第２の湾曲ガラス層との間の形状偏差は、光学三次元スキャナで測定して、±５ｍｍ以下であり、
前記第１の主面および前記第４の主面の一方または両方は、ＡＳＴＭ１５６１にしたがう透過光学素子を使用した光学的歪み検出器で測定して、２００ミリジオプター未満の光学的歪みを有し、
前記第３の主面または前記第４の主面は、ＡＳＴＭ  Ｃ１２７９にしたがって、表面応力計で測定して、７ＭＰａ未満の膜引張応力を有する、積層板。
【０３４４】
実施形態５０
前記第１の湾曲ガラス層が、ガラス組成物を有するガラス物品から作られており、該ガラス組成物が、
約６３モル％から約７５モル％の範囲の量のＳｉＯ２、
約７モル％から約１３モル％の範囲の量のＡｌ２Ｏ３、
約１３モル％から約２４モル％の範囲の量のＲ２Ｏ、および
約０モル％から約３モル％の範囲の量のＰ２Ｏ５
を含み、
前記ガラス組成物は、ＭｇＯとＺｎＯの一方または両方を含み、ＭｇＯの量は、約０モル％から約７モル％の範囲にあり、ＺｎＯは、約０モル％から約７モル％の範囲の量で存在し、
前記ガラス物品は、徐冷点（℃）および軟化点（℃）を有し、（徐冷点＋軟化点）／２の関係が約６２５℃から約７２５℃の範囲にある、実施形態４９に記載の積層板。
【０３４５】
実施形態５１
前記第１の湾曲ガラス層が、アルミノケイ酸塩ガラス物品から作られており、該ガラス物品が、２モル％超の量のＡｌ２Ｏ３を含むガラス組成物を有し、前記ガラス物品が徐冷点（℃）および軟化点（℃）を有し、（徐冷点＋軟化点）／２の関係が約６２５℃から約７２５℃の範囲にあり、前記ガラス組成物が、必要に応じて、約５モル％以上の総量のアルカリ金属酸化物（Ｒ２Ｏ）を含む、実施形態４９に記載の積層板。
【０３４６】
実施形態５２
約６３０℃の温度で、前記第１の粘度が、前記第２の粘度の約１０倍から該第２の粘度の約７５０倍の範囲にある、実施形態５０または５１に記載の積層板。
【０３４７】
実施形態５３
前記第１の厚さが前記第２の厚さより小さい、実施形態５０から５２のいずれか１つに記載の積層板。
【０３４８】
実施形態５４
前記第１の厚さが、約０．１ｍｍから約１．６ｍｍ未満までであり、前記第２の厚さが、約１．６ｍｍから約３ｍｍの範囲にある、実施形態５０から５３のいずれか１つに記載の積層板。
【０３４９】
実施形態５５
前記第１の湾曲ガラス層が第１の垂下温度を有し、前記第２の湾曲ガラス層が、該第１の垂下温度と異なる第２の垂下温度を有する、実施形態５０から５４のいずれか１つに記載の積層板。
【０３５０】
実施形態５６
前記第１の垂下温度と前記第２の垂下温度との間の差の大きさが、約３０℃から約１５０℃の範囲にある、実施形態５５に記載の積層板。
【０３５１】
実施形態５７
前記形状偏差が約±１ｍｍ以下である、実施形態５０から５６のいずれか１つに記載の積層板。
【０３５２】
実施形態５８
前記前記形状偏差が約±０．５ｍｍ以下である、実施形態５０から５７のいずれか１つに記載の積層板。
【０３５３】
実施形態５９
前記光学的歪みが約１００ミリジオプター以下である、実施形態５０から５８のいずれか１つに記載の積層板。
【０３５４】
実施形態６０
前記膜引張応力が約５ＭＰａ以下である、実施形態５０から５９のいずれか１つに記載の積層板。
【０３５５】
実施形態６１
前記第１の垂下深さが約５ｍｍから約３０ｍｍの範囲にある、実施形態５０から６０のいずれか１つに記載の積層板。
【０３５６】
実施形態６２
前記第３の主面または前記第４の主面が、表面応力計で測定して、３ＭＰａ未満の表面圧縮応力を有する、実施形態５０から６１のいずれか１つに記載の積層板。
【０３５７】
実施形態６３
前記積層板が、ＡＳＴＭ  Ｃ１６５２／Ｃ１６５２Ｍにより測定して、視覚歪みを実質的に含まない、実施形態５０から６２のいずれか１つに記載の積層板。
【０３５８】
実施形態６４
前記第１の湾曲ガラス層が強化されている、実施形態５０から６３のいずれか１つに記載の積層板。
【０３５９】
実施形態６５
前記第１の湾曲ガラス層が、化学強化されている、機械的に強化されている、または熱強化されている、実施形態６４に記載の積層板。
【０３６０】
実施形態６６
前記第２の湾曲ガラス層が強化されていない、実施形態６４または６５に記載の積層板。
【０３６１】
実施形態６７
前記第２の湾曲ガラス層が強化されている、実施形態６４または６５に記載の積層板。
【０３６２】
実施形態６８
前記第２の湾曲ガラス層がソーダ石灰ケイ酸塩ガラスから作られている、実施形態５０から６７のいずれか１つに記載の積層板。
【０３６３】
実施形態６９
前記第１の湾曲ガラス層が、第１の長さおよび第１の幅を有し、該第１の長さおよび該第１の幅のいずれか一方または両方は、約０．２５メートル以上である、実施形態５０から６８のいずれか１つに記載の積層板。
【０３６４】
実施形態７０
前記第１の湾曲ガラス層が、第１の長さおよび第１の幅を有し、前記第２の湾曲ガラス層が、該第１の長さの５％以内の第２の長さ、および該第１の幅の５％以内の第２の幅を有する、実施形態５０から６９のいずれか１つに記載の積層板。
【０３６５】
実施形態７１
前記積層板が複雑に湾曲している、実施形態５０から７０のいずれか１つに記載の積層板。
【０３６６】
実施形態７２
前記積層板が、自動車用板ガラスまたは建築用板ガラスを構成する、実施形態５０から７１のいずれか１つに記載の積層板。
【０３６７】
実施形態７３
内部および該内部と連通する開口を画成する本体と、
前記開口内に配置された実施形態５０から７２のいずれか１つに記載の積層板と、
を備えた乗り物。
【０３６８】
実施形態７４
前記積層板が複雑に湾曲している、実施形態７３に記載の乗り物。
【符号の説明】
【０３６９】
１００、１００Ａ    ガラス物品
１０２、４１２    第１の主面
１０４、４１４    第２の主面
１０６、１０８    副面
１１０    厚さｔ
２００、３００、４００、５００    積層板
２１０、３１０、５１０    第１のガラス層
２２０、３３０、５３０    第２のガラス層
３２０、４３０、５２０    中間層
４１０    第１の湾曲ガラス層
４１６    第１の厚さ
４１８    第１の垂下深さ
４２０    第２の湾曲ガラス層
４２２    第３の主面
４２４    第４の主面
４２６    第２の厚さ
４２８    第２の垂下深さ
５１２    第三面
５１４    第四面
５３２    第一面
５３４    第二面
６００    車両
６１０    車体
６２０    開口
６３０    ガラス物品
【図１Ａ】
2020525379.tif 000034
【図１Ｂ】
2020525379.tif 000035
【図２】
2020525379.tif 000036
【図３】
2020525379.tif 000037
【図４】
2020525379.tif 000038
【図５】
2020525379.tif 000039
【図６】
2020525379.tif 000040
【図７】
2020525379.tif 000041
【図８】
2020525379.tif 000042
【図９】
2020525379.tif 000043
【図１０】
2020525379.tif 000044
【国際調査報告】
2020525379.tif 000045
2020525379.tif 000046
2020525379.tif 000047